(57)【要約】  患者にインプラントを設置しそこから撤去するための装置、方法及びシステムが提供される。
2018525047.tif 000002
【特許請求の範囲】
【請求項１】
インプラントを設置するためのシステムにおいて、
設置用ツールであって、
取っ手部分と、
前記取っ手部分の内部で又はこれに隣接して、及び、前記取っ手部分に対して、移動可能である設置用カニューレであって、一定の長さと、前記取っ手部分の近くに配置された近位端部と、前記近位端部と反対側の遠位端部と、を有し、移植部位における患者の皮膚内の切開部を介して患者の組織内部に前記インプラントを送達するように構成された、カニューレと、
を含む、設置用ツールと、
第１の表面及びパイロットチューブを有する設置用ガイドであって、
前記チューブが、前記設置用カニューレの前記遠位端部を収容するように構成された近位端部と、
第１の距離のところで前記近位端部から離隔されている遠位端部と、
前記第１の表面に対して第２の距離及び１つの角度のいずれか又は両方のところに配置された長手方向中央軸と、
を含み、
当該設置用ガイドが、前記患者の前記皮膚の前記外部表面下の規定の設置深さで前記インプラントの移植を実施するために、前記組織内部で前記設置用カニューレを誘導するように構成されている、設置用ガイドと、
を含む、システム。
【請求項２】
前記第１の距離、前記第２の距離及び前記角度の少なくとも１つは、前記設置用カニューレを誘導し前記インプラントを前記規定の設置深さに送達するように設定されている、請求項１に記載のシステム。
【請求項３】
前記規定の設置深さは、前記患者の前記皮膚の前記外部表面下、約０．５ｍｍないし約４．５ｍｍである、請求項１に記載のシステム。
【請求項４】
前記設置用ガイドは、さらに、視認ウィンドウ又は開口部を含み、前記視認ウィンドウ又は開口部は、前記設置用ガイドの長さ及び幅に沿って延在し、かつ、前記移植部位の周りの皮膚の外部表面領域の目視観察及び／又は動悸を可能にするように構成されている、請求項１に記載のシステム。
【請求項５】
前記設置用ガイドは、さらに、視認開口部を含み、前記視認開口部は、前記設置用ガイドの長さ及び幅に沿って延在し、かつ、前記移植部位の周りの皮膚の外部表面領域の目視観察及び動悸を可能にするように構成されている、請求項１に記載のシステム。
【請求項６】
前記インプラントが浸透圧ミニポンプである、請求項１に記載のシステム。
【請求項７】
前記設置用カニューレが前記パイロットチューブ内で回転することを可能にするように構成された、請求項１に記載のシステム。
【請求項８】
請求項１に記載の設置用システムを提供するステップ、
を含む、インプラントを設置するための方法。
【請求項９】
前記インプラントを前記設置用カニューレの前記遠位端部内に装填するステップと、
移植部位で前記皮膚内に切開部を創出するステップと、
前記パイロットチューブの前記遠位端部が前記切開部と整列するように、前記移植部位に前記設置用ガイドを配置するステップと、
前記パイロットチューブの前記近位端部内に、装填済みの前記設置用カニューレの前記遠位端部を挿入するステップと、
前記設置用カニューレの前記遠位端部が、前記切開部内に、並びに、前記切開部の下の及び／又は前記切開部に隣接した組織内に、さらに遠くに誘導されるように、前記取っ手部分の少なくとも一部分が前記パイロットチューブの前記近位端部の近傍に来るまで、前記パイロットチューブに対して前記設置用カニューレを移動させるステップと、
前記設置用カニューレから前記インプラントを放出するステップと、
前記患者の前記皮膚から前記設置用カニューレを撤去するステップと、
前記患者の前記皮膚から前記設置用ガイドを撤去するステップと、
のうちの少なくとも１つをさらに含む、請求項８に記載の方法。
【請求項１０】
前記設置用カニューレは、前記パイロットチューブ内部で前記取っ手部分及び設置用カニューレを回転させながら、前記切開部内及び前記組織内に誘導される、請求項９に記載の方法。
【請求項１１】
前記切開部の創出に先立って、
前記移植部位において前記皮膚を清浄するステップと、
前記切開部を作製するために前記皮膚にマークをつけるステップと、
前記マークの付近に局所麻酔薬を注入するステップと、
をさらに含む、請求項９に記載の方法。
【請求項１２】
前記設置用カニューレの解放及び／若しくは撤去、並びに／又は、前記設置用ガイドの撤去、の後、
前記切開部を清浄するステップと、
前記切開部に対し圧力を加えるステップと、
前記切開部の少なくとも一方の側に接着剤を塗布するステップと、
前記切開部を閉鎖するステップと、
のうちの少なくとも１つをさらに含む、請求項９ないし１１のいずれか１項に記載の方法。
【請求項１３】
前記インプラントが、前記規定の深さで前記設置用カニューレから放出される、請求項９ないし１２のいずれか１項に記載の方法。
【請求項１４】
前記規定の深さが、前記患者の前記皮膚の前記外部表面下、約０．５ｍｍないし約４．５ｍｍである、請求項１３に記載の方法。
【請求項１５】
前記インプラントの両方の端部が、実質的に同じである規定の深さに設置される、請求項１４に記載の方法。
【請求項１６】
前記インプラントの両方の端部が、互いから約０．３ｍｍ以内である規定の深さに設置される、請求項１５に記載の方法。
【請求項１７】
設置用ツールと共に使用するための設置用ガイド装置において、当該ガイドが、
第１の表面と、
中央長手方向軸を有するパイロットチューブであって、
前記チューブが、組織にインプラントを送達するために設置用カニューレの遠位端部を収容するように構成された近位端部と、
第１の距離のところで前記近位端部から離隔されている遠位端部と、
前記第１の表面に対して第２の距離及び１つの角度のいずれか又は両方のところに配置された長手方向軸と、
を含み、
当該設置用ガイドが、患者の皮膚の外部表面下の規定の設置深さで前記インプラントの移植を実施するために前記組織内部で設置用ツールの前記設置用カニューレを誘導するように構成されている、パイロットチューブと、
を含む、設置用ガイド装置。
【請求項１８】
前記パイロットチューブ内部での前記設置用カニューレの回転を可能にするように構成された、請求項１７に記載の設置用ガイド。
【請求項１９】
前記第１の表面の長さ及び幅に沿って延在し、かつ、前記インプラントが挿入されつつある部位の周りの皮膚の前記外部表面の領域の目視観察及び／又は動悸を可能にするように構成されている、視認ウィンドウ又は開口部をさらに含む、請求項１７に記載の設置用ガイド。
【請求項２０】
前記視認ウィンドウ又は開口部は、前記カニューレが前記パイロットチューブ内に挿入され、カニューレ全体が前記パイロットチューブ内に延在する状態になった場合に、前記カニューレの先端部を超えて延在する長さを有する、請求項１７に記載の設置用ガイド。
【請求項２１】
前記設置深さが、前記患者の前記皮膚の前記外部表面下、約０．５ｍｍないし約４．５ｍｍである、請求項１７に記載の設置用ガイド。
【請求項２２】
前記パイロットチューブが、前記設置用カニューレを収容しかつ組織内に誘導するように構成されている、請求項１７に記載の設置用ガイド。
【請求項２３】
前記設置用ガイドは、半透明又は実質的に透明である材料から作られている、請求項１７に記載の設置用ガイド。
【請求項２４】
前記パイロットチューブは、前記ガイドの下面に対して傾斜して構成されている、請求項１７に記載の設置用ガイド。
【請求項２５】
前記設置用ガイドが、ユーザによって長手方向又は幅方向に容易に湾曲又は屈曲され得ない、請求項１７に記載の設置用ガイド。
【請求項２６】
インプラント撤去用ツールにおいて、
第１のアームと、
少なくとも使用中は前記第１のアームから離隔されかつ前記第１のアームに対し実質的に平行であるように構成された第２のアームと、
前記第１のアームの遠位端部に配置された第１の開口部と、
前記第２のアームの遠位端部に配置された第２の開口部と、
を含み、
前記第１の開口部が、位置付けされたインプラントの第１の端部を包囲するように構成され、
前記第２の開口部が、前記位置付けされたインプラントの第２の端部を包囲するように構成され、
前記アームが接近させられるにつれて前記第１のアームと第２のアームの間の距離を維持するように、係止用装置が構成されている、インプラント撤去用ツール。
【請求項２７】
前記第１及び第２のアームを連結するための連結用構造をさらに含む、請求項２６に記載のインプラント撤去用ツール。
【請求項２８】
前記係止用装置が、ラチェット機構を含む、請求項２６に記載のインプラント撤去用ツール。
【請求項２９】
前記係止用装置が、摩擦係止機構を含む、請求項２６に記載のインプラント撤去用ツール。
【請求項３０】
前記第１の開口部及び第２の開口部は、ステンレス鋼ワイヤから形成される、請求項２６に記載のインプラント撤去用ツール。
【請求項３１】
前記第１の開口部及び第２の開口部は、全体的に丸形、卵形又は方形の形状である、請求項３０に記載のインプラント撤去用ツール。
【請求項３２】
前記第１の開口部は、ステンレス鋼ワイヤの第１の端部に形成されており、前記第２の開口部は、前記ステンレス鋼ワイヤの第２の端部に形成されている、請求項２６に記載のインプラント撤去用ツール。
【請求項３３】
前記ワイヤは、前記第１のアーム及び前記第２のアームを含む、又は、前記第１のアーム及び前記第２のアームに取付けられている、請求項３２に記載のインプラント撤去用ツール。
【請求項３４】
前記連結用構造が、バネ又はコイルを含む、請求項２７に記載のインプラント撤去用ツール。
【請求項３５】
さらに取っ手を含み、前記取っ手が、
前記第１のアームに取付けられた第１の握りと、
前記第２のアームに取付けられた第２の握りと、
前記第１のアームと前記第２のアームの間で前記ステンレス鋼ワイヤに沿って位置するコネクタ部品と、
を含む、請求項２６に記載のインプラント撤去用ツール。
【請求項３６】
前記第１及び第２のアーム、前記第１及び第２の端部、並びに、前記連結用構造は、１つ以上の一定長のワイヤから製造される、請求項２６に記載のインプラント撤去用ツール。
【請求項３７】
前記第１及び第２のアーム、前記第１及び第２の端部、並びに、前記連結用構造は、単一の一定長のワイヤから製造される、請求項３６に記載のインプラント撤去用ツール。
【請求項３８】
インプラントを撤去するための方法において、請求項２６に記載の撤去用ツールを提供するステップを含む、方法。
【請求項３９】
インプラントの第１の端部に前記第１のアームを配置するステップであって、前記インプラントが、患者の皮膚の外部表面下にある、ステップ、
前記インプラントの前記第１の端部及び近接する皮膚を第１の開口部の内部に包囲するステップ、
前記インプラントの第２の端部を位置設定するステップ、
前記インプラントの前記第２の端部及び近接する皮膚を前記第２の開口部内に包囲するステップ、
前記第１のアーム及び前記第２のアームを共に第１の位置に向かって押し合わせる又は他の形で強制するステップであって、前記第１のアーム及び前記第２のアームが前記第１の位置に来た時点で、前記インプラントは、前記インプラントの前記第１及び／又は第２の端部を含む前記皮膚の中にテント状の部分を創出する、ステップ、
前記インプラントの前記第１又は第２の端部において、前記皮膚の中の前記テント状の部分の近くで前記患者の前記皮膚内に切開部を創出するステップ、及び
前記第１のアーム及び前記第２のアームを共に第２の位置に向かって押し合わせるステップであって、第１のアーム及び第２のアームが前記第２の位置に来た時点で、前記インプラントの前記第２の端部は、前記切開部を通って前記患者の前記皮膚から退出する、ステップ、
のうちの少なくとも１つをさらに含む、請求項３８に記載の方法。
【請求項４０】
前記インプラントの前記第１及び第２の端部は、前記第１及び第２の開口部の範囲内に位置設定される、請求項３９に記載の方法。
【請求項４１】
前記第１の位置は、前記第２の位置に比べて前記第１及び第２のアームが幅広である構成である、請求項３９又は４０に記載の方法。
【請求項４２】
前記係止用装置は、前記切開部が創出される間、前記第１のアーム及び前記第２のアームを前記第１の位置に保持する、請求項３９又は４０に記載の方法。
【請求項４３】
前記第２の位置に到達するための前記第１のアーム及び前記第２のアームの前記押し合わせは、前記第１の位置で始まり、前記第２の位置で終る、請求項４２に記載の方法。
【請求項４４】
前記係止用装置は、前記第１のアーム及び前記第２のアームを前記第１及び第２の位置に保持する、請求項４３に記載の方法。
【発明の詳細な説明】
【技術分野】
【０００１】
関連出願の相互参照
本出願は、「皮下インプラント設置システム」という名称の２０１５年６月３日出願の米国仮特許出願第６２／５７０，５６１号、及び「皮下インプラント設置システム」という名称の２０１５年６月４日出願の米国仮特許出願第６２／１７０，９９４号に対する優先権を請求するものである。本出願は、以下で参照指示されている出願全ての開示全体を参照により本明細書中に組込んでいる。
【０００２】
本開示の実施形態は、皮膚の外部表面下、規定の深さにインプラントを設置しそこから撤去するためのシステム、方法及び装置に関する。
【発明の概要】
【０００３】
本開示のいくつかの実施形態は、表皮内、表皮下、真皮内、真皮下、皮内及び／又は皮下組織などの、皮膚の外部表面下、組織の内部の規定の深さのところへのインプラントの設置を誘導し、組織内部からインプラントを撤去するためのシステム、方法及び装置を提示する。本明細書中において、システム、方法及び装置は、任意の規定の深さまでのインプラントの設置に適応させることができる。いくつかの実施形態において、設置時点でのインプラントの規定の深さは、ヒトの患者などの患者の皮膚の外部表面下、約０．５ｍｍないし約４．５ｍｍ、約１ｍｍないし約４ｍｍ、約１．５ｍｍないし約３ｍｍである。いくつかの実施形態においては、表皮内、表皮下、真皮内、真皮下、皮内及び／又は皮下組織の深さ内又はそれらの間へのインプラントの設置を誘導するためのシステム、方法及び装置が提供される。
【０００４】
いくつかの実施形態においては、取っ手部分と、取っ手部分の内部で又は取っ手部分に隣接して、かつ、取っ手部分に対して、移動可能である、設置用カニューレと、を含む設置用ツールを含み、皮膚の外部表面下、既定の深さのところにインプラントを設置するためのシステムが提供される。カニューレは、一定の長さと、取っ手部分の近くに配置された近位端部と、近位端部と反対側の遠位端部と、を有し、かつ、患者の皮膚の外部表面下、既定の深さまでのインプラントの設置を管理し限定するように構成されている。設置は、移植部位における患者の皮膚の外部表面の切開部を介して行なわれる。
【０００５】
システムは同様に、第１の表面及びパイロットチューブを有する設置用ガイドを含む。パイロットチューブは、設置用カニューレの遠位端部を収容するように構成されたパイロット穴を伴う近位端部と、第１の距離のところで近位端部から離隔されている遠位端部と、第１の表面に対して第２の距離及び１つの角度のいずれか又は両方のところに配置された長手方向中央軸と、を含む。設置用ガイドは、既定の設置深さまでのインプラントの設置を制御し限定するために組織内の切開部の内部で設置用カニューレを誘導するように構成されている。切開部内へのカニューレの挿入中、カニューレからのインプラントの放出に先立って、取っ手部分及びカニューレは、術者によって、設置用ガイド上へのパイロットチューブの中央長手方向軸に対して時計回り又は反時計回り方向に、例えば、約９時から約３時までの間、約１０時と約２時の間又は約１１時から約１時までの間の区間又は範囲内で正転又は逆転され得る。設置用ガイドが患者の皮膚の外部表面上で回転することなく実質的に静止状態にとどまる一方で、上記のような回転は、皮膚の外部表面下、患者の組織内へのカニューレの制御された適切な進捗を促進する。こうして、いくつかの実施形態において、設置用ガイドは、設置用ガイドのパイロットチューブ内部におけるカニューレの実質的に自由な回転を可能にするように構成されている。いくつかの実施形態においては、表皮内、表皮下、真皮内、真皮下、皮内、及び／又は、皮下組織の内部及び／又は間に、インプラントを設置するためのシステムが提供される。
【０００６】
このようなシステム（及び他の実施形態）においては、以下の特徴が含められる場合がある：
第１の距離、第２の距離及び角度の少なくとも１つは、設置用カニューレを誘導しインプラントを、患者の皮膚の外部表面下、規定の深さに送達するように構成されている。
設置用ガイドは、設置用ガイドの長手及び幅に沿って延在し、かつ、インプラントが挿入されつつある部位の周りの皮膚の領域の視認及び／又は動悸を可能にするように構成されている、視認ウィンドウ又は開口部、をさらに含む。
インプラントは、例えば移植可能な浸透圧ミニポンプなどの任意のインプラントであってよい。
規定の深さは、患者の皮膚の外部表面下、約０．５ｍｍないし約４．５ｍｍ、約１ｍｍないし約４ｍｍ、約１．５ｍｍないし約３ｍｍである。
パイロットチューブは、設置用カニューレを組織内に収容し誘導するように構成されている。
【０００７】
いくつかの実施形態においては、インプラントを設置し、（例えば本明細書中で開示されている実施形態に係る）設置用システムを提供するステップを含む。いくつかの実施形態において、インプラントを設置するための方法は、インプラントを設置用カニューレの遠位端部内に装填するステップ、移植部位で皮膚内に切開部を創出するステップ、パイロットチューブの遠位端部が切開部と整列するような形で、移植部位に設置用ガイドを配置するステップ、パイロットチューブの近位端部内に装填済み設置用カニューレの遠位端部を挿入するステップ、設置用カニューレの遠位端部が切開部内及び切開部の下の及び／又は切開部に隣接した組織内へとさらに遠くに誘導されるような形で、取っ手部分の少なくとも一部分がパイロットチューブの近位端部の近傍に来るまで、パイロットチューブに対して設置用カニューレを移動させるステップ、設置用カニューレからインプラントを放出するステップと、患者の皮膚から設置用カニューレを撤去するステップ、及び、患者の皮膚から設置用ガイドを撤去するステップ、のうちの少なくとも１つをさらに含む。いくつかの実施形態において、設置用カニューレは、取っ手部分及びカニューレの回転時に、皮膚の外部表面下、規定の深さのところで、切開部の中をさらに遠くまで適切に誘導される。いくつかの実施形態においては、規定の深さにインプラントを設置するための方法が提供される。いくつかの実施形態においては、表皮内、表皮下、真皮内、真皮下、皮内及び／又は皮下組織内又はそれらの間にインプラントを設置するための方法が提供される。
【０００８】
上述の方法の実施形態は、さらに、以下の特徴のうちの１つ以上を含んでいてよい：
切開部の創出に先立って、該方法は、移植部位において皮膚を清浄するステップと、切開部を作製するために皮膚にマーキングを行なうステップと、マークの付近に局所麻酔薬を注入するステップと、をさらに含む。
設置用カニューレの解放及び／若しくは撤去、並びに／又は、設置用ガイドの撤去、の後に、該方法は、切開部を清浄するステップと、切開部に対し圧力を加えるステップと、切開部の少なくとも一方の側に接着剤を塗布するステップと、切開部を閉鎖するステップと、のうちの少なくとも１つをさらに含む。
設置深さは、患者の皮膚の外部表面下、約０．５ｍｍないし約４．５ｍｍ、約１ｍｍないし約４ｍｍ、約１．５ｍｍないし約３ｍｍである。
【０００９】
インプラントを設置するためのいくつかの実施形態において、インプラントの両方の端部は、実質的に同一である規定の深さに設置され、その結果、インプラントは実質的に平らに設置されることになる。換言すると、インプラントの各端部は、他方の端部の約０．５ｍｍ、約０．４ｍｍ、約０．３ｍｍ、約０．２ｍｍ又は約０．１ｍｍ以内の既定の深さのところに設置される。
【００１０】
いくつかの実施形態においては、インプラント設置用ツールと共に使用するための設置用ガイド装置が提供され、設置用ガイド装置は、第１の表面と、中央長手方向軸を有するパイロットチューブと、を含む。チューブは、組織にインプラントを送達するために設置用カニューレの遠位端部を収容するように構成された近位端部と、第１の距離のところで近位端部から離隔されている遠位端部と、を含む。第１の表面に対して第２の距離及び１つの角度のいずれか又は両方のところに配置された長手方向軸及び設置用ガイドは、患者の皮膚の外部表面下の規定の設置深さでインプラントの移植を実施するために組織内部で設置用ツールの設置用カニューレを誘導するように構成されている。いくつかの実施形態において、設置用ガイドは、半透明又は実質的に透明である材料（例えば医療グレードのプラスチック）から作られている。いくつかの実施形態において、設置用ガイドは実質的に剛性である。例えば、いくつかの実施形態において、設置用ガイドは、正常な使用中にユーザが長手方向及び／又は幅方向に実質的に湾曲、歪曲又は屈曲を加えることができない程度に充分な剛性を有する。いくつかの実施形態においては、設置用ガイド装置が、設置用ツールと共に使用するために提供される。いくつかの実施形態においては、表皮内、表皮下、真皮内、真皮下、皮内及び／又は皮下組織内又はそれらの間にインプラントを設置するために、設置用ガイド装置が提供される。
【００１１】
いくつかの実施形態に係る設置用ガイドは、以下の特徴のうちの１つ及び／又は別のものを含んでよい：
第１の表面の長手及び幅に沿って延在し、かつ、インプラントが挿入されつつある部位の周りの皮膚の領域の視認及び／又は動悸を可能にするように構成されている、視認ウィンドウ又は開口部を含む。
設置用ガイドは、患者の皮膚の外部表面下、約０．５ｍｍないし約４．５ｍｍ、約１ｍｍないし約４ｍｍ、好ましくは約１．５ｍｍないし約３ｍｍの設置深さを提供するように構成されている。
パイロットチューブは、設置用カニューレを組織内に収容し誘導するように構成されている。
ガイドの剛性、第１の距離、第２の距離及び角度のうちの少なくとも１つは、設置用カニューレを誘導し、規定の設置深さにおいてインプラントを送達するように適切に設計される。
【００１２】
設置用ガイドは概して、設置用ガイドのパイロット穴／パイロットチューブ内部でのカニューレの実質的に自由な回転を可能にするように構成されている。インプラント設置処置中、この特徴は、術者が、ガイドの阻止を全く又は最小限にしか受けない状態で組織を通ってカニューレを素早く回転させることによって、組織を通って好適、安全かつ正確に設置経路を創出できるようにする。説明された設置用ガイドを伴うシステムを用いたインプラントの設置は、患者への損傷及び皮下出血が最小限しか又は全く無い状態で行なわれることが発見された。
【００１３】
他の場合では、例えば固定型ガイド部分を有する「モノブロック設置用ツール」などのさらに扱いにくい設置用ツール、及び固定型ガイドに対して自由に回転できないカニューレを用いて行なわれるインプラントの設置中に患者に対するこのような損傷及び皮下出血が発生し得る。このような固定型ガイド部分を有する扱いにくいモノブロック設置用ツール、及び固定型ガイドに対して自由に回転できないカニューレを用いたインプラントの設置は、ツールが固定されているためにカニューレの動作が制限された状態で進捗する。挿入処置中のカニューレの動作が制限されている結果として、組織を通って設置経路を創出するために過度の又は誤った方向の力が用いられることになり、これは、患者に対する損傷及び／又は皮下出血を結果としてもたらす場合がある。
【００１４】
これに対して、ここで説明するシステムは、ガイドとは独立したカニューレの回転を可能にする設置用ガイドのパイロット穴／パイロットチューブの内部でのカニューレの実質的に自由な回転、ひいては設置用ツール／システムの比較的素早い操作を可能にするように構成された設置用ガイドを有する。切開部内へのカニューレの挿入中、カニューレからのインプラントの放出に先立って、取っ手部分及びカニューレは、術者によって、設置用ガイド上へのパイロットチューブの中央長手方向軸に対して時計回り又は反時計回り方向に、例えば、約９時から約３時までの間、約１０時と約２時の間又は約１１時から約１時までの間の区間又は範囲内で正転又は逆転され得る。ここで説明される設置用ツール内でのカニューレの回転は、設置用ガイドとは独立して起こり、設置用ガイドは、切開部位における皮膚の外部表面上で実質的に静止した状態にとどまりしたがって切開部位において組織を前後に引っ張ることがない。設置用ガイドのパイロットチューブの内部、すなわちここで説明される設置用ツール内におけるカニューレの自由な回転により、術者は、カニューレの挿入路を最適に制御しながら、繊維性結合組織内においてでさえ、組織内にカニューレを漸進的に穏やかに進ませることができる。こうして、ここで説明される設置用ツール及び設置用ガイドは、組織内へのカニューレの好適、安全かつ正確な設置を可能にする。ここで説明される設置用ツール及び設置用ガイドは同様に、患者間で異なるタイプの組織中にインプラントを挿入する際に遭遇する問題点を軽減する。
【００１５】
いくつかの実施形態においては、第１のアームと、少なくとも使用中は第１のアームから離隔されこの第１のアームに対し実質的に平行であるように構成された第２のアームと、第１のアームの遠位端部に配置された第１の開口部と、第２のアームの遠位端部に配置された第２の開口部と、を含むインプラント撤去用ツールが提供される。本明細書中で使用される、第１及び第２のアームに関する「実質的に平行な」なる用語は、第１及び第２のアームが、完璧に平行である必要はなく、むしろ例えば使用に先立ち装置が開放配向にあり第１及び第２の開口部を概して互いから離れるように指向させている場合などに、互いに実質的に平行に配向されてよい、ということを意味する。代替的には、第１及び第２のアームは同様に、アームが接近させられている使用中、装置が閉鎖配向にあるときに互いに実質的に平行に配向されており、第１及び第２の開口部を概して互いに向かって指向させている。
【００１６】
第１の開口部は、移植されたインプラントの第１の端部を包囲又は他の形で捕捉するように構成され、第２の開口部は、移植されたインプラントの第２の端部を包囲又は他の形で捕捉するように構成されている。ツールは、同様に、アームが接近させられユーザの所望の離隔距離に達するにつれて第１のアームと第２のアームの間の距離を維持するように構成されている係止用装置を含んでよい。係止用装置は、ユーザ／術者が撤去用ツールに関してハンズフリーで後続するステップ（例えば切開及び／又は切開部からのインプラントの撤去）を実施することを可能にする。いくつかの実施形態においては、表皮内、表皮下、真皮内、真皮下、皮内及び／又は皮下の組織からインプラントを撤去するためのインプラント撤去用ツールが提供される。
【００１７】
いくつかの実施形態において、インプラント撤去用ツールは、以下の特徴の１つ及び／又は別のものを含んでいてよい：
第１及び第２のアームを連結するための連結用構造。
ラチェット機構又は摺動摩擦係止機構を含むものなどの、任意の係止用装置（いくつかの実施形態において、係止用装置は連結用構造を含み得る）。
第１及び第２の開口部は、ステンレス鋼ワイヤから形成される。
第１の開口部及び第２の開口部は、例えば丸形、方形又は卵形形状などの任意の形状であることができる。
第１の開口部は、ステンレス鋼ワイヤの第１の端部に形成され、第２の開口部は、ステンレス鋼ワイヤの第２の端部に形成される。
ワイヤは、第１のアーム及び第２のアームを含む、又は、第１のアーム及び第２のアームに取付けられている。
連結用構造は、バネ、コイル状ワイヤなどを含む。
第１のアームに取付けられた第１の握りと第２のアームに取付けられた第２の握りとを含む取っ手。
第１のアームと第２のアームの間でステンレス鋼ワイヤに沿って位置するコネクタ部品。
【００１８】
いくつかの実施形態においては、インプラントを撤去するための方法が提供されており、この方法は、（例えば開示された実施形態に係る）撤去用ツールを提供するステップを含んでいる。いくつかの実施形態において、該方法はさらに、インプラントの第１の端部の近くで患者の皮膚の外部表面において撤去用ツールの第１のアームを配置するステップ、及び、インプラントの第１の端部及び近接する皮膚を第１の開口部の内部に包囲する又は他の形で捕捉するステップ、並びに、インプラントの第２の端部の近くで患者の皮膚の外部表面において撤去用ツールの第２のアームを配置するステップ、及び、インプラントの第２の端部及び近接する皮膚を第２の開口部の内部に包囲する又は他の形で捕捉するステップ、のうちの少なくとも１つを含む。インプラントの第１及び第２の端部における撤去用ツールの第１及び第２のアームの配置ステップは、（好ましくは）同時に、あるいは逐次的に行なわれてよい。いくつかの実施形態において、各々の端部は、同じ機能を実施するように構成され、同一である又は実質的に同一である。該方法は同様に、第１のアーム及び第２のアームを共に第１の位置に向かって押し合わせる又は他の形で強制するステップを含み、第１のアーム及び第２のアームが第１の位置に来た時点で、インプラントは、インプラントの少なくとも１つの端部、好ましくは両方の端部において又はその周りにおいて皮膚の中にテント状の部分を創出する。係止用装置は、ユーザ／術者が撤去用ツールに関してハンズフリーで後続するステップ（例えば切開及び／又は切開部からのインプラントの撤去）を実施できるようにするために係合され得る。
【００１９】
その後、いずれかの端部又はその周りで皮膚の中のテント状の部分の内側又はその近くで、患者の皮膚内に切開を行なうことができる。切開が行なわれた時点で、切開部近くのインプラントの端部は、皮膚から外に突出でき、ここで、この端部は鉗子などによって取り込まれ得る。いくつかの実施形態において、切開が行なわれたところとは反対側のインプラントの端部にある撤去用ツールのアームは、第１の位置にある間に、少なくともインプラントの端部を切開部から押し出させる。他の実施形態において、第１のアーム及び第２のアームを共に第２の位置に向かってさらに押し合わせることにより、少なくともインプラントの端部は切開部から押し出されることになる。例えば図１３を参照のこと。いくつかの実施形態においては、表皮内、表皮下、真皮内、真皮下、皮内及び／又は皮下組織からインプラントを撤去するための方法が提供される。
【００２０】
いくつかの実施形態において、このような方法はさらに、以下の特徴のうちの１つ及び／又は別のものを含んでいてよい：
第１の位置は、第２の位置よりも幅広の第１及び第２のアームの構成である。
係止用装置は、切開部が創出される間、第１のアーム及び第２のアームを第１の位置に保持する。
第２の位置に到達するための第１のアーム及び第２のアームの押し合わせは、第１の位置で始まり、第２の位置で終る。
係止用装置は、第１のアーム及び第２のアームを第１及び第２の位置に保持する。
【００２１】
いくつかの実施形態においては、インプラントを設置するためのキットが提供されており、このキットは、（例えばガンマ放射線による）無菌インプラント及びインプラントを設置するための本明細書に記載の無菌インプラント設置用システムを含む。いくつかの実施形態において、キットは、さらに使用説明書を含むことができる。いくつかの実施形態において、無菌インプラントは、密封されたガラス製バイアル瓶に入ってキット内に格納される。いくつかの実施形態において、無菌インプラント設置用システムは、本明細書中に記載の無菌設置用ガイド及び無菌設置用ツールを含む。いくつかの実施形態において、キット内の各品目は、使い捨てとして意図されている。いくつかの実施形態においてにおいて、無菌インプラントは、患者に割当てられた一意的参照番号を含む。いくつかの実施形態においては、表皮内、表皮下、真皮内、真皮下、皮内及び／又は皮下組織内又はそれらの間へのインプラントの設置用のキットが提供される。
【００２２】
いくつかの実施形態において、キットはさらに、１つ以上のパッケージに入って、以下の無菌品目のうちの１つ及び／又は別のものを含んでいてよい：
外科用メス、止血剤、ガーゼ、Ｓｔｅｒｉ−Ｓｔｒｉｐｓ（商標）などのテープ、液体皮膚接着剤、包帯、シリンジ、針、ドレープ（有窓又は無窓）、無菌手袋、アルコールプレップパッドなどの消毒剤、リドカインなどの麻酔薬、定規、綿棒、目視基準ガイド及びパーマネントマーカなどの筆記具。
【００２３】
いくつかの実施形態において、キット及びその内容物は無菌であることから、感染のリスクは最小限に抑えられ、術者は、無菌領域（すなわち術野）を好適に配置することができ、この領域から患者の体内にインプラントを安全かつ適切に設置（すなわち挿入）することができる。
【００２４】
これらの及び他の実施形態、目的、利点及び特徴は、添付図面及び詳細な説明を参照することで、さらに一層明確になる。
【図面の簡単な説明】
【００２５】
【図１Ａ】いくつかの実施形態に係るインプラント設置用システムの構造の分解組立図を描写する図である。
【図１Ｂ】いくつかの実施形態に係るインプラント設置用システムの構造の分解組立図を描写する図である。
【図２Ａ】いくつかの実施形態に係るインプラント設置用システムの構造を描写する図である。
【図２Ｂ】いくつかの実施形態に係るインプラント設置用システムの構造を描写する図である。
【図３Ａ】いくつかの実施形態に係るインプラント設置用システムの構造を断面図で描写する図である。
【図３Ｂ】いくつかの実施形態に係るインプラント設置用システムの構造を断面図で描写する図である。
【図４Ａ】いくつかの実施形態に係るインプラント設置用システムの構造のさまざまな図を描写する図である。
【図４Ｂ】いくつかの実施形態に係るインプラント設置用システムの構造のさまざまな図を描写する図である。
【図４Ｃ】いくつかの実施形態に係るインプラント設置用システムの構造のさまざまな図を描写する図である。
【図５Ａ】いくつかの実施形態に係るインプラント設置用ガイドの構造のさまざまな図を描写する図である。
【図５Ｂ】いくつかの実施形態に係るインプラント設置用ガイドの構造のさまざまな図を描写する図である。
【図５Ｃ】いくつかの実施形態に係るインプラント設置用ガイドの構造のさまざまな図を描写する図である。
【図５Ｄ】いくつかの実施形態に係るインプラント設置用ガイドの構造のさまざまな図を描写する図である。
【図５Ｅ】いくつかの実施形態に係るインプラント設置用ガイドの構造のさまざまな図を描写する図である。
【図６】いくつかの実施形態に係る側面図で示されたインプラント撤去用ツールの構造を描写する図である。
【図７】いくつかの実施形態に係る前面図で示されたインプラント撤去用ツールの構造を描写する図である。
【図８】いくつかの実施形態に係る上面図で示されたインプラント撤去用ツールの構造を描写する図である。
【図９】いくつかの実施形態に係る代替的図で示されたインプラント撤去用ツールの構造を描写する図である。
【図１０Ａ】いくつかの実施形態に係る、アームが開放配向にある状態でのインプラント撤去用ツールの図である。
【図１０Ｂ】いくつかの実施形態に係る、アームが開放配向にある状態でのインプラント撤去用ツール及び摺動摩擦係止機構の図である。
【図１０Ｃ】いくつかの実施形態に係る、アームが閉鎖配向にある状態でのインプラント撤去用ツール及び摺動摩擦係止機構の図である。
【図１０Ｄ】いくつかの実施形態に係る、摺動摩擦係止機構の側面図の図である。
【図１０Ｅ】いくつかの実施形態に係る、摺動摩擦係止機構の上面図の図である。
【図１１Ａ】患者の皮膚表面の挿入点への設置用ツールカニューレの設置を描写する、いくつかの実施形態に係る図である。
【図１１Ｂ】インプラントが適切に位置設定されインプラントが規定の設置深さでカニューレから組織内にいつでも放出され得る状態にあることを知らせる設置用ツールカニューレ上のインジケータバンドの挿入点到達時点（その後、カニューレを切開部から撤去することができる）に至るまでの、患者の皮膚の外部表面下へのカニューレ及びインプラントのさらなる設置を描写する、いくつかの実施形態に係る図である。
【図１２Ａ】撤去用ツールのアームと共に、インプラントの両方（すなわち近位及び遠位）の端部の「テント状の部分の創出」の初期段階と近接する皮膚を描写する、いくつかの実施形態に係る図である。
【図１２Ｂ】インプラントの両方の端部の周りに形成されつつある２つのテント状の部分の側面図の、いくつかの実施形態に係る図である。
【図１３】撤去用ツールのアームと共に、インプラントの両方（すなわち近位及び遠位）の端部のテント状の部分の創出に続いて、テント状にされた一方の端部において作製された切開部から出現するインプラント、及び近接する皮膚を描写する、いくつかの実施形態に係る図である。切開部は、比較的閉じた位置又は配向の撤去用ツールに対して「ハンズフリー」で作成される。
【図１４】図示され説明されている設置用ガイドの、いくつかの実施形態に係る図である。
【図１５】いくつかの実施形態に係る追加のインプラント撤去用ツールを描写する図である。
【発明を実施するための形態】
【００２６】
本開示のいくつかの実施形態は、患者の皮膚の外部表面下（例えば腹領域内）、約０．５ｍｍないし約４．５ｍｍ、約１ｍｍないし約４ｍｍ、約１．５ｍｍないし約３ｍｍの既定の深さにおける、円筒形又は柱状のインプラント（例えば浸透圧ポンプ）であり得るインプラントの設置（すなわち本明細書では代替的に送達又は移植とも呼ばれている）を補助するように構成された設置用ガイドを含む、インプラント設置用システムを提示する。
【００２７】
典型的には、インプラントは、薬剤の皮下投与を提供するために患者の皮膚の外部表面下に設置（すなわち移植）される。インプラントは、いずれか若しくは両方の脚、いずれか若しくは両方の腕（例えば上腕の内側、外側又は裏側）、又は、背若しくは腹を含む、皮膚の外部表面下のほぼあらゆる場所に、既定の深さで設置することができる。いくつかの実施形態において、インプラントは、肋骨より下方でベルトラインより上方に延在する領域内で皮膚の外部表面下で、腹領域内で腹部組織の中に設置されてよい。腹部内に１つ以上の浸透圧送達装置を設置するための一定数の場所を提供する目的で、腹壁を、以下の４つの四分円に分割することができる。すなわち、右肋骨の下方に約５ないし８センチメートルかつ正中線の右側に約５ないし８センチメートル延在する右上四分円、ベルトラインの上方に約５ないし８センチメートルかつ正中線の右側に約５ないし８センチメートル延在する右下四分円、左肋骨の下方に約５ないし８センチメートルかつ正中線の左側に約５ないし８センチメートルに延在する左上四分円、及び、ベルトラインの上方に約５ないし８センチメートルかつ正中線の左側に約５ないし８センチメートル延在する左下四分円、である。これにより、１回以上の機会に１つ以上の装置を移植するために利用可能な多数の場所が提供される。インプラントの設置及び撤去は、概して、局所麻酔（例えばリドカイン）を用いて医療専門家により実施される。
【００２８】
いくつかの実施形態において、インプラントが設置される既定の深さは、皮膚表面より下の平均深さとして説明され、ここでこの平均深さは、挿入されたインプラントの両端部（すなわち近位端部及び遠位端部）の測定された深さ（例えば超音波技術による）から計算可能である。本開示の設置用ガイドを含むものを包含する、本開示の設置用システム、方法及び装置は、患者の皮膚の外部表面下の事実上あらゆる「規定深さ」までインプラントを提供するように適応可能である。いくつかの実施形態において、開示された設置用システムは、皮膚の外部表面下の任意の特定の深さまでインプラントを送達するように構成されている。いくつかの実施形態において、既定の深さは、皮膚の外部表面下、約５ｍｍ未満である。いくつかの実施形態において、既定の深さは、患者の皮膚の外部表面下、約０．５ｍｍないし約４．５ｍｍである。いくつかの実施形態において、既定の深さは、患者の皮膚の外部表面下、約１ｍｍないし約４ｍｍである。いくつかの実施形態において、既定の深さは、患者の皮膚の外部表面下、約１．５ｍｍないし約３ｍｍである。
【００２９】
いくつかの実施形態において、インプラントは、金属外装（例えばチタン又はチタン合金）を含む浸透圧ポンプである。いくつかの実施形態において、インプラントは、インスリン分泌刺激ペプチド（例えば合成エキセナチド、エキセンジン−４）を含む浸透圧ポンプである。いくつかの実施形態において、インスリン分泌刺激ペプチドはエキセンジン−４である。いくつかの実施形態において、インスリン分泌刺激ペプチドはエキセナチドである。いくつかの実施形態において、インスリン分泌刺激ペプチドは安定剤と共に処方される。いくつかの実施形態において、安定剤は、炭水化物（例えばスクロース）、酸化防止剤（例えばメチオニン）及び緩衝液（例えばクエン酸ナトリウム／クエン酸）を含むか又はこれらで構成される。インプラントは、複数の他の治療、薬剤などのうちの１つ又は複数を含んでいてよい。
【００３０】
いくつかの実施形態において、インプラントは、少なくとも約３ヵ月間、約２０ｍｃｇ／日、少なくとも約６ヵ月間、約４０ｍｃｇ／日、若しくは、少なくとも約６ヵ月間、約６０ｍｃｇ／日というインスリン分泌刺激ペプチド（例えば合成エキセナチド、エキセンジン−４）の持続（例えば連続）インビトロ放出速度、又は、少なくとも約３ヵ月ないし少なくとも約６ヵ月間、約２０ｍｃｇ／日ないし約６０ｍｃｇ／日というインビトロ放出速度を提供する浸透圧ポンプである。
【００３１】
本明細書中で使用される「連続送達」なる用語は、例えば表皮内、表皮下、真皮内、真皮下、皮内及び／又は皮下組織などの移植部位に近い組織内への浸透圧送達装置からの薬剤の実質的に連続した放出を意味し得る。例えば、浸透圧送達装置は、浸透作用の原理に基づいて本質的に既定の速度で１つ以上の薬剤を放出することができる。細胞外流体は、半透膜を通って浸透圧送達装置内の直接浸透圧エンジン内へと入り、この浸透圧エンジンは膨張して、一貫した低い走行速度でピストンを駆動する。ピストンの運動は、薬剤調合物を強制的に拡散モデレータのオリフィスを通して放出させる。こうして浸透圧送達装置からの薬剤の放出は、制御下の一貫した低速度で行なわれる。
【００３２】
移植可能な浸透圧送達装置を用いたエキセナチド又はエキセンジン−４の連続的送達は、治療を必要とする対象にとって以下のメリットを提供することができる：２型真性糖尿病の治療、（例えばグルコース値、ＨｂＡｌｃ及び／又はフルクトサミンにより測定される）血糖管理の改善、ＨｂＡｌｃの削減、空腹時血漿グルコース値の削減、食後血中グルコース値の削減、定期的な（例えば一日２回）注射に関連する不利な消化管事象（例えば吐き気及び嘔吐）の削減、体重減少、ＬＤＬ−Ｃの削減、収縮期血圧の低下、高血圧の治療、フルクトサミン値の削減、治療を受ける対象の生活の質の改善など。他の１つ以上の利益も同様に達成可能である。
【００３３】
さらに、インスリン分泌刺激ペプチド（例えばエキセナチド、エキセンジン−４）の連続送達は、以下の方法の実施において使用可能である：肥満の治療、食欲管理、カロリー摂取の削減、食物摂取の削減、食欲の抑制、耐糖能異常の治療、食後高血糖の治療、食後ダンピング症候群の治療、高血糖状態の治療、トリグリセリドの削減、コレステロールの削減、尿流量の増大、尿中カリウム濃度の低下、毒性循環血漿量過多の軽減、急速利尿の誘発、手術前患者準備、術後患者処置、腎血漿流量及び糸球体ろ過率の増加、妊娠中の子癇前症又は子癇の治療、心筋収縮能の増大、腎不全の治療、うっ血性心不全の治療、ネフローゼ症候群の治療、肺水腫の治療、全身性浮腫の治療、肝硬変の治療、耐糖能異常の治療、前糖尿病（正常値より高いものの糖尿病と診断されるほどにはまだ高くない血中グルコース値）の治療、Ｉ型真性糖尿病の治療（例えばインスリンとの組合せ）、耐糖能異常に起因する心血管系イベントのリスク削減、耐糖能異常に起因する脳血管イベントのリスク削減、糖尿病の進行遅延、糖尿病の改善、糖尿病発症の遅延、β細胞保存の誘発及びβ細胞機能性の回復、正常血糖の回復、正常血糖値管理の提供、末梢血管疾患の治療、急性冠不全症候群の治療、心筋症の治療、妊娠性糖尿病の治療、多嚢胞性卵巣症候群の治療、腎症の治療又は予防、並びに、さまざまな疾患又は身体条件により誘発された糖尿病の治療（例えば、ステロイド誘発性糖尿病、ヒト免疫不全ウイルス治療誘発性糖尿病、成人における潜伏自己免疫性糖尿病、非アルコール性脂肪性肝炎、非アルコール性脂肪肝疾患、無自覚性低血糖、拘束性肺疾患、慢性閉塞性肺疾患、心血管疾患、例えば心不全、アテローム性動脈硬化症及び急性冠不全症候群、皮下脂肪委縮症、メタボリックシンドローム、アルツハイマー病の治療）など。
【００３４】
インプラントは、皮膚の表面下に挿入するように意図されたあらゆるタイプのインプラントであってよい。いくつかの実施形態において、インプラントは、円筒形又は柱状のインプラントである。いくつかの実施形態において、インプラントは浸透圧ポンプ以外のものである。例えばいくつかの実施形態において、インプラントは、拡散律速インプラントである。拡散律速インプラントは、例えば、活性物質の実質的に恒常な投与量を提供するためにインプラントから拡散する活性物質の固形剤型を有するポリマーマトリクスコアを含むことができる。拡散律速インプラントは、例えば、活性物質を拡散する熱可塑性物質などの実質的に又は完全に無孔のポリマーマトリクスを含むことができる。
【００３５】
いくつかの実施形態において、拡散律速インプラントは、円筒形又は柱状のインプラントである。いくつかの実施形態において、拡散律速インプラントは、活性物質として避妊薬を格納する。いくつかの実施形態において、拡散律速インプラントは、オピオイド依存、パーキンソン病、甲状腺機能低下症などを治療する上で使用するための活性物質を格納する。
【００３６】
インプラントは、患者、特にヒトの患者の体内に挿入するために好適な任意のサイズを有していてよい。インプラントのサイズは、例えば、幅（例えば直径）約１ｍｍないし約６ｍｍ、長さ約１０ｍｍないし約６０ｍｍの範囲内であってよい。いくつかの実施形態において、インプラントの幅は、約１ｍｍないし約２ｍｍ、約２ｍｍないし約３ｍｍ、約３ｍｍないし約４ｍｍ、又は約５ｍｍないし約６ｍｍであってよい。いくつかの実施形態において、インプラントの長さは、約１０ｍｍないし約２０ｍｍ、約２０ｍｍないし約３０ｍｍ、３０ｍｍないし４０ｍｍ、約４０ｍｍないし約５０ｍｍ、約５０ｍｍないし約６０ｍｍである。いくつかの実施形態において、インプラントの直径（すなわち幅）は約４ｍｍ、長さは約４４ｍｍである。本明細書中、方法及び装置は、実質的に円筒形若しくは柱状のインプラントを含む任意の形状を有する、又は、撤去用ツールを用いて皮膚下でのテンティングを受容できる形状を有する、あらゆるインプラントの設置用に適応可能である。移植／撤去のために好適なサイズを有する任意の装置／インプラントを使用することができる。
【００３７】
一態様では、インプラントを設置するためのシステムにおいて、取っ手部分と、取っ手部分の内部で又は取っ手部分に隣接してかつ取っ手部分に対して移動可能である設置用カニューレであって、一定の長さと、取っ手部分の近くに配置された近位端部と、近位端部と反対側の遠位端部を有し、移植部位における患者の皮膚内の切開部を介して患者の組織内部にインプラントを送達するように構成された、カニューレと、を含む、設置用ツールと、第１の表面及びパイロットチューブを有する設置用ガイドであって、チューブが、設置用カニューレの遠位端部を収容するように構成された近位端部と、第１の距離のところで近位端部から離隔されている遠位端部と、第１の表面に対して第２の距離及び１つの角度のいずれか又は両方のところに配置された長手方向中央軸と、を含み、当該設置用ガイドが、患者の皮膚の外部表面下の規定の設置深さでインプラントの移植を実施するために組織内部で設置用カニューレを誘導するように構成されている、設置用ガイドと、を含む、システムが提供される。
【００３８】
システムのいくつかの実施形態において、第１の距離、第２の距離及び角度の少なくとも１つは、設置用カニューレを誘導しかつインプラントを規定の設置深さに送達するように構成されている。システムのいくつかの実施形態において、規定の設置深さは、患者の皮膚の外部表面下、約０．５ｍｍないし約４．５ｍｍである。システムのいくつかの実施形態において、設置用ガイドは、さらに、視認ウィンドウ又は開口部を含み、これらの視認ウィンドウ又は開口部は、設置用ガイドの長手及び幅に沿って延在し、かつ、移植部位の周りの皮膚の外部表面領域の目視観察及び／又は動悸を可能にするように構成されている。
【００３９】
システムのいくつかの実施形態において、設置用ガイドは、さらに、視認開口部を含み、これらの視認開口部は、設置用ガイドの長手及び幅に沿って延在し、かつ、移植部位の周りの皮膚の外部表面領域の目視観察及び動悸を可能にするように構成されている。システムのいくつかの実施形態において、インプラントは浸透圧ミニポンプである。システムのいくつかの実施形態において、設置用カニューレがパイロットチューブ内で回転できるように構成されている。
【００４０】
別の態様では、本発明に記載の設置用システムを提供するステップを含む、インプラントを設置するための方法が提供される。いくつかの実施形態において、該方法は、インプラントを設置用カニューレの遠位端部内に装填するステップ、移植部位で皮膚内に切開部を創出するステップ、パイロットチューブの遠位端部が切開部と整列するような形で、移植部位に設置用ガイドを配置するステップ、パイロットチューブの近位端部内に装填済み設置用カニューレの遠位端部を挿入するステップ、設置用カニューレの遠位端部が切開部内及び切開部の下の及び／又は切開部に隣接した組織内へとさらに遠くに誘導されるような形で、取っ手部分の少なくとも一部分がパイロットチューブの近位端部の近傍に来るまで、パイロットチューブに対して設置用カニューレを移動させるステップ、設置用カニューレからインプラントを放出するステップ、患者の皮膚から設置用カニューレを撤去するステップ、及び患者の皮膚から設置用ガイドを撤去するステップ、のうちの少なくとも１つをさらに含む。
【００４１】
インプラントを設置するための方法のいくつかの実施形態において、設置用カニューレは、パイロットチューブ内部で取っ手部分及び設置用カニューレを回転させながら、切開部内及び組織内に誘導される。いくつかの実施形態において、切開部の創出に先立って、該方法は、移植部位において皮膚を清浄するステップと、切開部を作製するために皮膚にマーキングを行なうステップと：マークの付近に局所麻酔薬を注入するステップと、をさらに含む。
【００４２】
インプラントを設置する他の方法のいくつかの実施形態において、設置用カニューレの放出及び／若しくは撤去、並びに／又は、設置ガイドの撤去の後、該方法は、切開部を清浄するステップと、切開部に対し圧力を加えるステップと、切開部の少なくとも一方の側に接着剤を塗布するステップと、切開部を閉鎖するステップと、のうちの少なくとも１つをさらに含む。該方法のいくつかの実施形態において、インプラントは、規定の深さで設置用カニューレから放出される。該方法のいくつかの実施形態において、規定の深さは、患者の皮膚の外部表面下、約０．５ｍｍないし約４．５ｍｍである。該方法のいくつかの実施形態において、インプラントの両方の端部は、実質的に同じである規定の深さに設置される。該方法のいくつかの実施形態において、インプラントの両方の端部は、互いから約０．３ｍｍ以内である規定の深さのところに設置される。
【００４３】
別の態様では、設置用ツールと共に使用するための設置用ガイド装置において、ガイドが、第１の表面と、中央長手方向軸を有するパイロットチューブであって、チューブが、組織にインプラントを送達するために設置用カニューレの遠位端部を収容するように構成された近位端部と、第１の距離のところで近位端部から離隔されている遠位端部と、第１の表面に対して第２の距離及び１つの角度のいずれか又は両方のところに配置された長手方向軸と、を含み、設置用ガイドが、患者の皮膚の外部表面下の規定の設置深さでインプラントの移植を実施するために組織内部で設置用ツールの設置用カニューレを誘導するように構成されている、パイロットチューブと、を含む、設置用ガイド装置が提供される。
【００４４】
いくつかの実施形態において、設置用ガイドは、パイロットチューブ内部での設置用カニューレの回転を可能にするように構成されている。いくつかの実施形態において、設置用ガイドは、第１の表面の長手及び幅に沿って延在しかつインプラントが挿入されつつある部位の周りの皮膚の外部表面領域の目視観察及び／又は動悸を可能にするように構成されている、視認ウィンドウ又は開口部をさらに含む。いくつかの実施形態において、視認ウィンドウ又は開口部は、カニューレがパイロットチューブ内に挿入されてカニューレ全体がチューブ内に延在する状態になった場合に、カニューレの先端部を超えて延在する長さを有する。いくつかの実施形態において、設置深さは、患者の皮膚の外部表面下、約０．５ｍｍないし約４．５ｍｍである。いくつかの実施形態において、パイロットチューブは、設置用カニューレを組織内に収容し誘導するように構成されている。いくつかの実施形態において、設置用ガイドは、半透明又は実質的に透明である材料から作られている。いくつかの実施形態において、パイロットチューブは、ガイドの下面に対して上り勾配で構成されている。いくつかの実施形態において、設置用ガイドは、ユーザによって、長手方向又は幅方向に容易に湾曲又は屈曲され得ない。
【００４５】
別の態様では、インプラント撤去用ツールにおいて、第１のアームと、少なくとも使用中は第１のアームから離隔されこの第１のアームに対し実質的に平行であるように構成された第２のアームと、第１のアームの遠位端部に配置された第１の開口部と、第２のアームの遠位端部に配置された第２の開口部と、を含み、第１の開口部が、位置付けされたインプラントの第１の端部を包囲するように構成され、第２の開口部は、位置付けされたインプラントの第２の端部を包囲するように構成され、アームが接近させられるにつれて第１のアームと第２のアームの間の距離を維持するように、係止用装置が構成されている。
【００４６】
いくつかの実施形態において、インプラント撤去用ツールは、第１及び第２のアームを連結するための連結用構造をさらに含む。いくつかの実施形態において、係止用装置は、ラチェット機構を含む。いくつかの実施形態において、係止用装置は、摩擦係止機構を含む。いくつかの実施形態において、第１の開口部及び第２の開口部は、ステンレス鋼ワイヤから形成される。いくつかの実施形態において、第１の開口部及び第２の開口部は、全体的に丸形、卵形又は方形の形状を有する。いくつかの実施形態において、第１の開口部はステンレス鋼ワイヤの第１の端部に形成されており、第２の開口部はステンレス鋼ワイヤの第２の端部に形成されている。いくつかの実施形態において、ワイヤは第１のアーム及び第２のアームを含むか又はこれらに取付けられている。いくつかの実施形態において、連結用構造はバネ又はコイルを含む。いくつかの実施形態において、インプラント撤去用ツールは、さらに取っ手を含み、取っ手は、第１のアームに取付けられた第１の握りと、第２のアームに取付けられた第２の握りと、第１のアームと第２のアームの間でステンレス鋼ワイヤに沿って位置するコネクタ部品と、を含む。いくつかの実施形態において、第１及び第２のアーム、第１及び第２の端部、並びに、連結用構造は、１つ以上の一定長のワイヤから製造される。いくつかの実施形態において、第１及び第２のアーム、第１及び第２の端部、並びに、連結用構造は、単一の一定長のワイヤから製造される。
【００４７】
別の態様では、インプラントを撤去するための方法において、本明細書に記載の撤去用ツールを提供するステップを含む、方法が提供される。いくつかの実施形態において、該方法は、インプラントの第１の端部に第１のアームを配置するステップであって、インプラントが、患者の皮膚の外部表面下にあるステップ、インプラントの第１の端部及び近接する皮膚を第１の開口部の内部に包囲するステップ、インプラントの第２の端部を位置設定するステップ、インプラントの第２の端部及び近接する皮膚を第２の開口部内に包囲するステップ、第１のアーム及び第２のアームを共に第１の位置に向かって押し合わせる又は他の形で強制するステップであって、第１のアーム及び第２のアームが第１の位置にある場合、インプラントは、インプラントの第１及び／又は第２の端部を含む皮膚の中にテント状の部分を創出する、ステップ、インプラントの第１又は第２の端部において、皮膚の中のテント状の部分の近くで患者の皮膚内に切開部を創出するステップ、及び第１のアーム及び第２のアームを共に第２の位置に向かって押し合わせるステップであって、第１のアーム及び第２のアームが第２の位置に来た時点で、インプラントの第２の端部は、切開部を通って患者の皮膚から退出する、ステップ、のうちの少なくとも１つをさらに含む。
【００４８】
インプラントを撤去するための方法のいくつかの実施形態において、インプラントの第１及び第２の端部は、第１及び第２の開口部の範囲内に位置設定される。該方法のいくつかの実施形態において、第１の位置は、第２の位置よりも幅広の第１及び第２のアームの構成である。該方法のいくつかの実施形態において、係止用装置は、切開部が創出される間、第１のアーム及び第２のアームを第１の位置に保持する。該方法のいくつかの実施形態において、第２の位置に到達するための第１のアーム及び第２のアームの押し合わせは、第１の位置で始まり、第２の位置で終る。該方法のいくつかの実施形態において、係止用装置は、第１のアーム及び第２のアームを第１及び第２の位置に保持する。
【００４９】
いくつかの実施形態において、設置用ガイドは、インプラントを既定の深さにおいて（例えば表皮内、表皮下、真皮内、真皮下、皮内及び／又は皮下組織の１つ以上の中又はそれらの間に）送達するために、例えば、設置用ツールのカニューレに沿って設置用ツールと相互作用する。設置用ツールは、送達を目的としてインプラントを収容するように構成されたカニューレを含むことができる。設置用ツールのいくつかの実施形態は、その内容全体が参照により本明細書に組込まれている米国特許第６，１９０，３５０号中に記載されている。設置用ガイドの設計は、いくつかの実施形態によると、カニューレを誘導し、こうして皮膚の外部表面下、特定の／規定の深さのところにインプラントを送達するように構成されていてよい。図１Ａは、設置用ツール１２０及び設置用ガイド１００を含むインプラント設置用システムの一実施形態の例示的構成を分解組立図で示す。設置用ツール１２０は、取っ手部分及び設置用カニューレを含む。図１Ｂは、少なくとも皮膚の外部表面下、既定の深さのところ（表皮内、表皮下、真皮内、真皮下、皮内及び／若しくは皮下組織内又はそれらの間）にインプラントを送出するための機能性を提供する設置用ツール１２０の内部構成要素を同様に示す分解組立図を例示している。米国特許第６，１９０，３５０号を参照のこと。
【００５０】
設置用ガイド１００は、プラスチック又は金属（例えばアルミニウム又はアルミニウム合金）製であってよい比較的剛性の高い材料を含むことができる。設置用ガイド１００は、いくつかの実施形態によると、以下の特徴部のうちの一部又は全てを含んでいてよい：使用中皮膚に隣接して設置される第１の表面、設置用ツールカニューレ１１５を収容するためにガイド１００の一方の端部（近位端部）に位置設定されているパイロットチューブ１０５、及び視認ウィンドウ１１０。可撓性ではなくむしろ比較的剛性のガイド１００が、皮膚の外部表面下、既定の深さのところへのカニューレの挿入及びインプラントの設置を最もうまく調整し制限することが見出された。例えば、いくつかの実施形態において、設置用ガイドは、正常な使用中（例えば挿入処置中）に、ユーザにより実質的に長手方向及び／又は幅方向に湾曲、歪曲又は屈曲され得ないよう充分な剛性を有する。
【００５１】
一方で、例えば比較的薄いプラスチック製の比較的可撓性のある又は柔軟なガイドは、例えば挿入処置中に湾曲する傾向をもち、カニューレが皮膚の外部表面下、所望される深さよりも深く移動（drift）できるようにし、その結果、インプラントの設置は、より無制御で過度に深いものとなる（例えば、皮膚の外部表面より下５ｍｍ超）。
【００５２】
こうして、いくつかの実施形態において、設置用ガイド１００は、剛性を強化するように構成される。例えば、設置用ガイド１００用として剛性プラスチック又は金属材料が好ましい。さらに、他の実施形態において、ガイド１００は、このガイド１００に対して、安定性及び剛性を付与する立ち上げられた側面１５０（例えば５ないし３０ｍｍの高さ）及び／又は１つ以上の補強用ガセット板（すなわち補強用リブ）１４０を有する。いくつかの実施形態において、ガイド１００は、ガイド１００に対し剛性を付加及び／又は強化するため、パイロットチューブ１０５に直交して延びる及び／又は視認開口部１１０の長さに直交して延びる１つ以上の補強用ガセット板１４０を含む。例えば実施例１を参照。ガイド１００は、例えば、１個、２個、４個、６個、８個、１０個、１２個などのガセット板を含んでいてよい。図５Ａのガイド内に示されている８個のガセット板が例示する通り、ガイド１００の長さに沿って、多数のガセット板が概して均等に間隔取りされている。ガセット板１４０は、ガイドの全幅に沿って位置していてよい（例えば図１４のガイドにおいてパイロットチューブの最も近くに示されているもののいくつか）。いくつかの実施形態において、各ガセット板１４０は、図５Ａのガイド内に示されているように、ガイドの全幅にまたがっていない。
【００５３】
パイロットチューブ１０５は、ガイド１００の近位端部の近くの近位開口部と、近位開口部から離隔した遠位開口部と、を含む。チューブ１０５は実質的に直線であり、長手方向中央軸を含む。設置用ガイド１００は、白色などの任意の色調であってよい、又は、いくつかの実施形態においては、インプラント処置の視認性を増強するために、半透明又は実質的に透明であってよい。いくつかの実施形態において、設置用ガイドは、半透明又は実質的に透明の１つ又は複数の材料（例えば医療グレードのプラスチック）製である。
【００５４】
パイロットチューブ１０５は、設置用ツールカニューレ１１５を収容し、こうして設置用ツールカニューレ１１５は、パイロットチューブ１０５の内部を自由に回転できるようになっている。設置用ツールカニューレ１１５を患者の皮膚の下に挿入する間、設置用ツール１２０の取っ手部分と、したがって設置用ツールカニューレ１１５とは、設置用ガイド１００上のパイロットチューブの中央長手方向軸に対して、時計回り及び反時計回り方向で、例えば約９時から約３時の間、約１０時と約２時の間、又は、約１１時から約１時までの間の区間又は範囲内で術者によって正転及び逆転され得る一方で、設置用ガイド１００は、患者の皮膚の外部表面上で実質的に不動であり続ける。いくつかの実施形態において、回転は、約１０時と約２時の間であり得る。設置用ガイド１００が皮膚の外部表面上で実質的に不動であり続ける一方で、設置用ツール１２０の取っ手及び設置用ツールカニューレ１１５の回転は、患者の皮膚の表面下、約０．５ｍｍないし約４．５ｍｍ、約１ｍｍないし約４ｍｍ、及び、いくつかの実施形態においては約１．５ｍｍないし約３ｍｍの深さのところでのインプラントの制御された設置を保証するために使用されることができる。いくつかの実施形態において、インプラントが設置される既定の深さは、表皮内、表皮下、真皮内、真皮下、皮内及び／若しくは皮下組織内、又は、それらの間の１つの深さである。
【００５５】
いくつかの実施形態において、設置用ガイド１００は、設置用カニューレ１１５の全体がガイドの下でパイロットチューブを通って延在する状態になった時点で、視認開口部が設置用カニューレ１１５の先端部を少なくとも超えて延在するために、充分な長さを有するように構成されている。このような長さのガイド及び視認開口部により、ガイドは、全体が延在する状態のカニューレの鋭い先端部より張り出すことになり、こうして鋭い先端部からの幾分かの保護が提供される。さらにいくつかの実施形態において、設置用ガイド１００は、術者が視認開口部１１０を通して、カニューレの挿入された長さ全体の上の皮膚を見て及び／又は触れて、規定の設置深さ（例えば皮膚の外部表面から約５ｍｍ未満）までのカニューレ／インプラントの適切な設置を確認できるようにするために、全体が延在している状態の設置用カニューレの先端部を超えて視認開口部１１０が充分な長さとなるように、構成されている。いくつかの実施形態において、設置用ガイド１００は、約６０ｍｍないし約１２０ｍｍの長さを有する。いくつかの実施形態において、設置用ガイド１００は、約８０ｍｍないし約１００ｍｍの長さを有する。いくつかの実施形態において、設置用ガイド１００は、約９０ｍｍの長さを有する。
【００５６】
術者が、カニューレ１１５を切開部内へと駆動するために設置用ツール１２０の取っ手を把持すべく、例えば「利き手」などの一方の手を使用し、かつ、同時に、ガイドのいずれかの側又は両側で、前進するカニューレ１１５に可能なかぎり近い患者の皮膚上の点に対して直接的に逆向きの牽引力を適用するために、もう一方の手つまり「利き手でない」手を使用する場合、インプラントの挿入は極めて円滑に進む。このような好ましい方法の間、カニューレの挿入及びインプラントの設置は、設置用ガイドに対しては実質的にハンズフリーで進む。図１１Ａを参照のこと。こうして、術者は、カニューレ１１５が患者の体内に挿入されつつある方向とは反対（又は実質的に反対）の方向に圧力を加えて、ガイド１００に触れること又は実質的に触れることなく、ガイド１００の両方の側又はいずれかの側に自らの手を置くことができる。実質的に設置用ガイド１００を把持することなくこのように逆向きの牽引力を加えることで、カニューレ１１５が組織内を円滑に前進するにつれて挿入用チャネルを創出する一方で、患者の皮膚は切開部のいずれか又は両方の側で緊密に保たれることになる。したがって、いくつかの実施形態において、設置用ガイド１００は比較的幅狭である。例えばいくつかの実施形態において、設置用ガイドの幅は、約１０ｍｍないし約８０ｍｍである。いくつかの実施形態において、設置用ガイドの幅は、約１５ｍｍないし約３５ｍｍである。いくつかの実施形態において、設置用ガイドの幅は約２５ｍｍである。
【００５７】
インプラントの既定の深さは、ガイドの剛性、パイロットチューブ１０５（及び／又は設置用ガイド１００全体、例えば図５Ｅを参照）の近位端部及び遠位端部の間隔Ａ、距離Ｂ（すなわち、長手方向軸（又は換言すると、パイロットチューブの直径）は第１の表面（すなわち皮膚に隣接して設置された底部表面、例えば図５Ｂ、図５Ｅを参照）から離隔されている）、角度Ｃ、つまりパイロットチューブの角度、並びに、皮膚及び第１の表面の少なくとも１つに対する長手方向軸（及び／又は皮膚に対する第１の表面の角度、例えば図５Ｅ参照）、のうちの少なくとも１つを適切に設計することによって、制御されてもよい又は他の形で決定されてもよい。距離Ｂ（すなわちパイロットチューブ１０５の内径）は、カニューレ１１５とパイロットチューブ１０５の間に最小限の間隔又はあそびしか存在しないようにサイズ決定される。いくつかの実施形態において、パイロットチューブ１０５の内径は、カニューレ１１５をパイロットチューブ１０５内部でより緊密に嵌合させ、カニューレ１１５が過度に容易にパイロットチューブ１０５内へ又はパイロットチューブ１０５から外に滑動するのを阻止するのに充分なだけの摩擦をカニューレ１１５に対して提供するために、１つ以上の切込み、スプライン、溝スポーク又は平担化された領域を含む。
【００５８】
間隔Ａ及び距離Ｂは、パイロットチューブの内部で設置用カニューレを緊密に嵌合させるように構成されている。いくつかの実施形態において、間隔Ａは約１０ｍｍから約３０ｍｍまでである。いくつかの実施形態において、間隔Ａは約１５ｍｍから約２０ｍｍまでである。いくつかの実施形態において、間隔Ａは約１８．５ｍｍである。いくつかの実施形態において、距離Ｂは約４ｍｍから約１０ｍｍまでの直径である。いくつかの実施形態において、距離Ｂは約２ｍｍから約８ｍｍまでの直径である。いくつかの実施形態において、距離Ｂは約３．８ｍｍの直径である。
【００５９】
いくつかの実施形態において、角度Ｃ、つまりパイロットチューブの角度は、パイロットチューブの中央長手方向軸がガイド１００の実質的に平らな下面に対してわずかに上向きの方向に傾斜するように構成されている。したがって、パイロットチューブの近位端部とガイドの下面の間の距離は、ガイドの下面からパイロットチューブの遠位端部までの距離よりも大きい。例示として、ガイドの下面の水平面に対してわずかな上り勾配で又は上向きに傾斜して、各パイロットチューブ内をカニューレが通過することで、パイロットチューブを通りパイロットチューブを通過して設置用ガイドの遠位端部に向かって進むにつれて、カニューレの先端部は、ガイドの下面により近いところを移動させられることになる。設置用ガイドは、ガイドの下面に対してわずかな上り勾配の角度Ｃを伴って構成され得るパイロットチューブを有してよく、又は、このパイロットチューブは、ガイドの下面に対して一定の下り勾配（すなわち負の勾配）の、さらには平行（すなわち０°）な角度Ｃを伴って構成されてよい。いくつかの実施形態においては、ガイドの下面に対してわずかな上り勾配の角度Ｃを伴って構成されたパイロットチューブが好まれる可能性がある。ガイドの下面に対してわずかな上り勾配の角度Ｃを伴って構成されたパイロットチューブを有する設置用ガイドは、既定の深さまでのインプラントの浅い設置を結果としてもたらした。
【００６０】
いくつかの実施形態において、角度Ｃは、約０．２５°ないし約５．０°である。いくつかの実施形態において、角度Ｃは約１．０°ないし約３．０°である。いくつかの実施形態において、角度Ｃは約１．２°である。いくつかの実施形態において、角度Ｃは約１．１７°±０．３５°である。
【００６１】
こうして、ガイドのこのようなパラメータを適切に設計することにより、設置用ガイド１００を用いてインプラントの既定の深さ及び／又は最終的場所を導くことができる。いくつかの実施形態において、インプラントは、交換時期になった時点で装置の比較的容易な識別及び撤去を保証するために、皮膚の外部表面の直下（例えば５ｍｍ未満）に設置される。
【００６２】
大部分の患者にとって、約１ｍｍと約４ｍｍの間（そして、いくつかの実施形態においては約１．５ｍｍと約３ｍｍの間）の距離が、皮膚の外部表面下の適切な深さである。そのために、これらの値の一方及び／若しくは他方、並びに／又は、それらの間の値範囲を達成する目的で、上述のパラメータのうち１つ以上を調整することができる。いくつかの実施形態において、特定の深さについて構成されたこれらのパラメータの組合せを有する設置用ガイド１００を含むことのできるキットが提供される。
【００６３】
いくつかの実施形態においては、移植部位において皮膚の外部表面下の患者の組織内にインプラントを挿入するために、無菌技術を用いて、以下の処置を使用することができる。（設置用ツール１２０のカニューレ１１５を収容するために）切開を行なう前に、選択された移植部位がアルコール溶液（など、例えばＣｈｌｏｒａＰｒｅｐ（登録商標）、グルコン酸クロルヘキシジン液）で洗浄される。切開の場所には、マーキングが施され局所麻酔が移植部位の付近に塗布又は注射され、その後、切開が行なわれる。切開の場所は、移植部位で皮膚上に設置用ガイド１００を設置することによって決定され得、例えば視認開口部１１０を通して、パイロットチューブ１０５の遠位端部で皮膚にマーキングが施される。視認開口部１１０は同様に、設置中に移植を目視及び／又は動悸するためにも使用されてよい。いくつかの実施形態において、視認開口部１１０は、術者が、カニューレが下を前進する皮膚の外部表面全体を目視及び／又は触れるのに充分な長さと幅を有する。いくつかの実施形態において、視認開口部１１０の長さは、約５０ｍｍないし約１００ｍｍである。いくつかの実施形態において、視認開口部１１０の長さは、約６０ｍｍないし約８０ｍｍである。いくつかの実施形態において、視認開口部１１０の長さは、約６２ｍｍである。いくつかの実施形態において、視認開口部１１０の幅は約５ｍｍないし約２０ｍｍである。いくつかの実施形態において、視認開口部１１０の幅は約８ｍｍないし約１５ｍｍである。いくつかの実施形態において、視認開口部１１０の幅は約１０ｍｍである。
【００６４】
いくつかの実施形態においては、（マーキングを伴って又は伴わずに）移植部位において切開を行なう及び／又は他の形で皮膚に穴を開けるために、外科用メス、カニューレの鋭い先端部などを使用することができる。他の実施形態においては、（マーキングを伴って又は伴わずに）移植部位において切開を行なう及び／又は他の形で皮膚に穴を開けるように、設置用ツール１２０のカニューレ１１５を構成することができる。さらに他の実施形態においては、皮膚内に穴を開ける又は他の形で切開を行なうためにパイロットチューブ１０５内を通って機能するように、外科用メス、カニューレの鋭い先端部などが適切に設計されることができる。いくつかの実施形態において、行なわれる切開は、深さ約５ｍｍである。ひとたび切開が行なわれると、インプラントを収納しているカニューレ１１５の遠位端部は、パイロットチューブ１０５の近位端部内に収容され、その後パイロットチューブ１０５を通って、切開部の中そして皮膚の外部表面下に押し合わせられる。術者が例えばその利き手で設置用ツール１２０の取っ手部分を握るにつれて、カニューレ１１５は、取っ手部分に接するカニューレ１１５の近位端部が（例えば）設置用ガイド１００及び／又はパイロットチューブ１０５の一部分に当接するまで、皮膚の外部表面下で、パイロットチューブ１０５内に連続的に押し合わせられる。代替的には、カニューレ１１５は、パイロットチューブ１０５、設置用ガイド１００、視認開口部１１０及び切開部のうちの少なくとも１つに対して、カニューレチューブ１１５が走行しなければならない距離を標示する、マーキングを含んでいてよい。いくつかの実施形態において、カニューレ１１５は、術者が自らの利き手で設置用ツール１２０の取っ手部分を握り、設置用ガイド１００上のパイロットチューブの中央長手方向軸に対して約９時から約３時の間、約１０時から約２時の間、又は約１１時から約１時の間の区間又は範囲内で回転自在なカニューレ１１５を正転及び逆転させることによって挿入される。もう一方の利き手でない手を用いて、術者は、設置用ガイド１００のいずれかの側（又は両方の側）で皮膚の外部表面に直接（例えば設置用ガイドに関してハンズフリー、又は換言すると、設置用ガイド１００を実質的に握ることなく）逆向きの牽引力を適用してよい。対照的に、設置用ガイドの側面を直接押圧しこうしてガイドを介して設置用ガイド１００の下の皮膚の外部表面上に間接的な圧力を加えるために利き手でない手を用いることによって間接的に対向する牽引力を加えようとする試みは、切開部の周りの皮膚の外部表面が押し戻され挿入処置の間に膨れ上がることから、効果を低減させることが分かるということが発見された。
【００６５】
挿入処置中のいずれの点においても、術者は、設置用ガイド１００の視認開口部１１０を通してカニューレ１１５より上の皮膚を動悸することにより、皮膚の外部表面より下の規定の深さへのカニューレ１１５の適切な設置を確認することができる。設置用ツール１２０は、インプラントを放出するための固定型プッシャーロッド１２５が内部に存在しているカニューレ１１５を含む。プッシャーロッド１２５は、取っ手の内部で長手方向に固定され、その間カニューレ１１５は、プッシャーロッド上を摺動してインプラントを放出する。カニューレ１１５は、取っ手のトラック内に組み付けられた摺動アクチュエータ１３０ａ／ｂによって、プッシャーロッド１２５上を移動させられる。カニューレの適切な設置の確認後、設置用ツール１２０の起動機構１３０ａ／ｂを操作して、カニューレ１１５を固定型プッシャーロッド上に格納し、カニューレ１１５の先端部から患者の組織内にインプラントを押し出させる（すなわち送出させる）ことができる。いくつかの実施形態において、起動機構１３０ａ／ｂは、インプラントの偶発的な放出を防止するため、延在位置に係止される。
【００６６】
その後、いくつかの実施形態においては、カニューレ１１５の少なくとも実質的な部分が組織から引き抜かれる。一実施形態において、インプラントの送出後、プッシャ１２５の先端部は、カニューレ１１５の端部からわずかに延在し、術者には、インプラントがカニューレ１１５から適切に送出されこうして組織内に送達されたことの確認としてこの先端部が目に見える。インプラントの送出中及び／又はその後に、患者の皮膚の外部表面下のインプラントの適切な既定の深さを、インプラントより上の皮膚を手で動悸することによって確認することができる（米国特許第６，１９０，３５０号参照のこと）。いくつかの実施形態において、設置用ツール１２０は、インプラントの近位端部を切開の部位から約６．４ｍｍ（０．２５インチ）ないし約１９．１ｍｍ（０．７５インチ）のところに設置するように構成されている。いくつかの実施形態において、設置用ツール１２０は、切開の部位から約１２．７ｍｍ（０．５インチ）のところにインプラントの近位端部を設置するように構成されている。
【００６７】
いくつかの実施形態においては、視認開口部１１０が提供される。視認開口部１１０は、閉塞していない開口部を提供し、この開口部を通して、皮膚下を前進するカニューレ１１５の上方の皮膚を見て及び／又は動悸して、インプラントの送出の間、特定の／既定の深さへのカニューレ１１５ひいてはインプラント自体の適切な設置を確認することができる。
【００６８】
いくつかの実施形態において、視認開口部１１０は視認ウィンドウで置換され、この視認ウィンドウは、実質的に透明又は透き通った（例えばプラスチックの）フィルム又はスクリーンを提供し、これを通して、インプラントの送出中、前進するカニューレ１１５の上方の皮膚を見ることはできるが、動悸することはできない。
【００６９】
その後、設置用ガイド１００（及びツール１２０）は、移植部位から撤去され、部位の観察（例えば目視観察）及び／又は動悸を用いて、既定の深さまでのインプラントの適切な設置を確認することができ、部位を清浄し、任意には皮膚接着剤を切開部の少なくとも一方の側に塗布し、次に切開部の端部を一定期間共に保持して止血を達成することができる。その後Ｓｔｅｒｉ−Ｓｔｒｉｐｓ（商標）及び／又は包帯を適用することができる。概して、切開部は充分に幅狭でちょうどカニューレを収容するのに充分なだけの幅を有することから、縫合は不要でＳｔｅｒｉ−Ｓｔｒｉｐｓ（商標）で充分である。
【００７０】
図２Ａ〜Ｂは、インプラント設置用システムの例示的構成を示す。
【００７１】
図３は、パイロットチューブ（図示せず）１０５を通して設置用ガイド１００内へと挿入された設置用カニューレ１１５の例示的断面図を示す。設置用カニューレ１１５は、設置用ツール１２０の取っ手に連結され、パイロットチューブ１０５を通って延在し、こうして、設置用カニューレ１１５は主として設置用ガイド１００の視認開口部１１０の下に配置される。
【００７２】
図４Ａ〜Ｃは、カニューレ１１５からのインプラントの送出に先立つシステムのさまざまな図（それぞれ上面図、側面図、底面図）を示す。
【００７３】
図５Ａ〜Ｅは、いくつかの実施形態に係るインプラント設置用システムの設置用ガイド１００を示す。
【００７４】
図５Ａは、パイロットチューブ１０５及び視認開口部１１０の部分を例示する設置用ガイド１００の一実施形態の上面図を示す。いくつかの実施形態において、視認開口部１１０は、設置用ガイド１００内からの切り取り部分であるが、他の実施形態では、開口部１１０は、透き通った材料から作られた実質的に透明なウィンドウであり得る視認ウィンドウによって置換される。同様に図示されているのは、１つ以上のガセット板１４０（すなわち補強用リブ、各々の側に４つずつ示されている）、及び、設置用ガイド１００の剛性を増大させるための立ち上がり側面１５０である。ガセット板１４０は、概して、パイロットチューブ１０５の長手及び／又は視認開口部１１０の長手に対して直交方向に配向されている。
【００７５】
図５Ｂは、使用中皮膚に隣接して設置される第１の表面及びこの第１の表面の下に延在するパイロットチューブ１０５を例示する設置用ガイド１００の一実施形態の側面図を示す。
【００７６】
図５Ｃは、パイロットチューブ１０５及び視認開口部１１０を例示する設置用ガイド１００の一実施形態の底面図を示す。
【００７７】
図５Ｄは、パイロットチューブ１０５の近位開口部を伴う設置用ガイド１００の背面縁部の例示的断面形状を例示する、設置用ガイド１００の一実施形態の背面図を示す。
【００７８】
図５Ｅは、パイロットチューブ１０５の近位端部及び遠位端部の間隔Ａ、距離Ｂ、すなわちパイロットチューブ１０５の内径、及び、少なくとも第１の表面すなわち設置用ガイド１００の下面に対するパイロットチューブ１０５の長手方向軸の角度Ｃを例示する、設置用ガイド１００の一実施形態の断面図を示す。
【００７９】
いくつかの実施形態において、パイロットチューブの角度は、座標測定機（ＣＭＭ）を用いて又はパイロットチューブ内に鋼製ロッドを挿入しロッドの上面からガイドの下面上の２つ以上の点までの距離を測定することによって、測定又は確認できる。このような測定された距離のうち２つ以上を用いて、パイロットチューブの角度を導出することができる。８６ｍｍの長さを有する図５Ａ〜Ｅの例示された設置用ガイドのための例示的距離には、パイロットチューブの近位端部から７６．０ｍｍのところにあったガイドの下面上の１点における０．３５ｍｍ±０．５ｍｍ、及び、パイロットチューブの近位端部から３０．０ｍｍであったガイドの下面上の１点における１．２８ｍｍ±０．２ｍｍが含まれる。
【００８０】
図５Ａ−Ｅに関して、ガイド１００の製造において使用可能である例示的材料／仕様には、透明なプラスチック（ＰＣ、Ｄｏｗ  Ｃａｌｉｂｒｅ  ２０８１−１５）が含まれる。Ａ面及びＢ面仕上げ：ＳＰＩＢ−２。部品体積：７．６ｃｍ3。一般コーナー半径：０．１ｍｍ。ガイドの製造時点で、部品は概して清浄であり、ばり、鋭い縁部、機械油及び破片は無い。表面は、概して異物、指紋、摩滅、腐食、擦過傷、空隙、歯状部、介在物、ニットライン又は変色の可視的兆候を有していない。フラッシュ及びエジェクタの痕跡（最大０．２５ｍｍ）には、概して鋭い縁部が不在である。
【００８１】
図６〜図９に示されているように、いくつかの実施形態においては、（上述のような設置用ツール１２０及び設置用ガイド１００を用いて患者の体内に移植された可能性のある）インプラントを患者の皮膚の外部表面下の組織から撤去するように構成されているインプラント撤去用ツール２００が提供される。いくつかの実施形態において、インプラント撤去用ツール２００は、連結用構造２３５によって連結された２つの相対するアーム２０５／２１５を含んでおり、このような構造２３５は、相対するアーム２０５／２１５の間にバネ様の機能性を提供するよう可撓性を有していてよい。各アーム２０５／２１５は、その上に開放端部２１０／２２０を含んでいてよく、又は、任意には、開放端部２１０／２２０は各々、各アーム２０５／２１５に沿って連結用構造２３５を介して一方から他方までにわたる１本のワイヤの端部に提供されていてよい（「ワイヤ状特徴部」２１０／２２０は同様に、本明細書において「端部」、「開放端部」又は「遠位端部」とも呼ばれている）。ワイヤ状特徴部２１０／２２０は、ワイヤである必要はなく、代替的には、硬質プラスチックワイヤ、管類などで作製されてよい。いくつかの実施形態において、インプラント撤去用ツール２００は実質的に単一のワイヤで作製されている。
【００８２】
連結用構造２３５及び／又はアーム構造２０５／２１５は、装置２００の使用を容易にするため、取っ手様の構造２２５を伴って構成されてよい。いくつかの実施形態において、連結用構造２３５及び／又はアーム構造２０５／２１５は、取っ手様の構造２２５無しで構成されてよい。例えば、第１の相対するアーム２０５及び第２の相対するアーム２１５に沿って延在する取っ手２２５の側面は、ユーザがより快適に取っ手２２５を把持することを可能にする構成に、人間工学的に形成されてよい。いくつかの実施形態においては、取っ手２２５は、アーム２０５／２１５の長さに沿って複数の離散的な場所において、相対するアーム２０５／２１５に連結されている別個の品目であり得、一方、他の実施形態では、取っ手２２５は、アーム２０５／２１５の全長に沿って相対するアーム２０５／２１５に連結されてよい。いくつかの実施形態において、取っ手２２５は、連結用構造２３５に取付けられることなく、連結用構造２３５と平行していてよく、又は、取っ手２２５は、連結用構造２３５に沿って１つ以上の離散的場所において、連結用構造２３５に連結されてよい。いくつかの実施形態において、連結用構造２３５及び／又はアーム構造２０５／２１５は、追加の取っ手２２５を有することなく、金属ワイヤ又は比較的剛性のプラスチック管類から構成されてよい。
【００８３】
図６は、インプラント撤去用ツール２００の一実施形態の側面図を示す。いくつかの実施形態ではステンレス鋼ワイヤ製であるワイヤ状の特徴部２１０／２２０が、相対するアーム２０５／２１５の１つを取り囲む取っ手２２５の側面図と同様に示されている。第１及び第２のアーム２０５／２１５の間のコネクタ２３５を覆う取っ手２２５の部分も同様に見ることができる。
【００８４】
図７は、インプラント撤去用ツール２００の一実施形態の上面図を示す。相対するワイヤ状の特徴部２１０／２２０（「端部」）が示されている。端部２１０／２２０は各々、相対するアーム２０５／２１５の１つに連結され、アーム２０５／２１５は、コネクタ２３５を用いて連結されてよい。いくつかの実施形態において、端部２１０／２２０を形成するワイヤは、同様に、相対するアーム２０５／２１５及びコネクタ２３５を形成する又はそれらからの延長部分である。いくつかの実施形態において、端部２１０／２２０、相対するアーム２０５／２１５及びコネクタ２３５は、単一の一定長のワイヤから作製される。取っ手２２５は、第１のアーム２０５及び第２のアーム２１５の周りに配置されてよい。いくつかの実施形態において、取っ手２２５は同様に、コネクタ２３５に沿って延びていてよい。いくつかの実施形態において、取っ手２２５は、相対するアーム２０５／２１５を共により近づくように移動させるために取っ手２２５を押し合わせたときに、ユーザの握りに適合するように人間工学的に形成されてよい。相対するアーム２０５／２１５及び／又は取っ手２２５の相対する側面は、係止用装置２３０を用いて連結される。いくつかの実施形態において、係止用装置２３０は、相対するアーム２０５／２１５の間など、中間部を横断して延在していてよい。係止用装置２３０は、構造に安定性及び剛性を提供し得る。係止用装置２３０は、摺動摩擦係止機構又はラチェット機構を含み得る。いくつかの実施形態において、係止用装置２３０の摺動摩擦係止機構又はラチェット機構は、ユーザが係止機構の係合を望む場合に、ユーザによって作動されてよい。いくつかの実施形態においては、ユーザからのインプットの如何に関わらず、取っ手２２５が押し合わされるにつれて、係止機構は自動的に係合することができる。
【００８５】
図８は、インプラント撤去用ツール２００の一実施形態の前面図を示す。相対する取っ手２２５及びワイヤ状特徴部２１０／２２０の例示的底面断面形状が、図のいずれの側にも見られる。係止用装置２３０は、２つの側面の間に配置されている。いくつかの実施形態において、係止用装置２３０は、ラチェット機構を含むことができる。係止用装置２３０のラチェット機構は、１つ以上の相対する歯を複数有する２つの部品で構成され、各々の側の１つ以上の歯が反対側にある１つ以上の歯と係合するようになっていてよく、こうして、ひとたび係止用装置２３０が係合させられた時点で相対するアーム２０５／２１５が特定の点を超えて引き離される、つまり分離することが防止される。
【００８６】
図９は、インプラント撤去用ツール２００の一実施形態を示す。相対するアーム２０５／２１５の各端部にワイヤ状特徴部２１０／２２０が示されており、相対するアーム２０５／２１５に対して取っ手２２５が取付けられる。インプラント撤去用ツール２００のいくつかの実施形態においては、実質的に裸の（例えばワイヤ）相対するアーム２０５／２１５から取っ手２２５が削除される。アーム２０５／２１５は、底部の曲線状の縁部（例えば同じくワイヤから作製され得る）に沿って連結されていてよい。例えば、相対するアーム２０５／２１５及びコネクタ２３５は、単一のワイヤで作製されてよい。ラチェット機構（図示した通り）又は摺動摩擦係止機構（例えば図１０Ｂ〜Ｅ中の３３０）などを含み得る係止用装置２３０は、２つのアーム２０５／２１５の間に配置されている。ユーザが相対するアーム２０５／２１５及び／又は取っ手２２５を押し合わせた場合、相対するアーム２０５／２１５は共により近づくように押される。係止用装置２３０は相対するアーム２０５／２１５を互いから特定の距離のところに保持し、こうしてひとたびユーザがアーム２０５／２１５を特定の位置に押し合わせたならば、アーム２０５／２１５は、容易に離隔できない。
【００８７】
図１０Ａ、図１０Ｂ及び図１０Ｃは、別の実施形態において、インプラント撤去用ツール３００を例示しており、ここでは端部３１０／３２０を形成する材料（例えばワイヤ）は、同様に相対するアーム３２５及びコネクタ３３５も形成する又はそれらからの延長部分である。相対するアーム３２５は、同一である又は同一でない可能性がある。好ましい実施形態において、相対するアーム３２５は、例えば追加の取っ手が無い場合に（ただしいくつかの実施形態は同様に取っ手を含み得る）、ユーザにより把持されるように構成されている。いくつかの実施形態において、連結用構造３３５によって連結されているワイヤ状特徴部３１０／３２０及び相対するアーム３２５は全て、ステンレス鋼金属ワイヤなどの金属ワイヤ、可能性として単一の一定長のワイヤから作製され得る。ワイヤ状特徴部３１０／３２０は、連結用構造３３５によって連結された相対するアーム３２５の各端部に示されている。ワイヤ状特徴部３１０／３２０は、図示された通り、実質的に円形であり得る、又は、曲線状の辺を伴う多角形を含めた実質的な多角形でもあり得る。いくつかの実施形態において、連結用構造３３５は、張力を提供するコイル又はバネである。いくつかの実施形態において、アーム３２５、ワイヤ状特徴部３１０／３２０及び連結用構造３３５（例えばコイル又はバネの形に構成されたもの）は、単一の一定長のワイヤなどから作製される。いくつかの実施形態において、アーム３２５、ワイヤ状特徴部３１０／３２０及び連結用構造３３５（例えばコイル又はバネの形に構成されたもの）は、２つ以上の一定長のワイヤなどから作製される。図１０Ａ〜Ｃに示されたもののようないくつかの実施形態において係止用装置３３０は、撤去用ツール３００から容易に撤去可能である。係止用装置は、図１０Ｂ中に示された通り、開放配向で２つのアーム３２５の間に配置された摺動摩擦係止機構を含んでいてよい。ユーザが相対するアーム３２５を押し合わせた場合、摺動摩擦係止機構及び係止用装置３３０は、相対するアーム３２５に沿って、ワイヤ状特徴部３１０／３２０に向かって摺動させられて、図１０Ｃに示されているように、図１０Ｂに示された距離に比べて近い互いからの距離のところに相対するアーム３２５を保持することができ、こうして、ひとたびユーザがアーム３２５を特定の位置に押し合わせたならば、アーム３２５は容易にさらに離隔できなくなる。いくつかの実施形態において、係止用装置３３０は、術者が相対するアーム３２５を共に押し合わせるにつれて術者により摺動され得、及び／又は、係止用装置３３０は、術者が相対するアームを共に押し合わせるにつれて、相対するアーム３２５を下方に摺動し得る。
【００８８】
図１０Ｄ及び図１０Ｅは、摺動摩擦係止機構を有する係止用装置３３０の側面図及び上面図を例示している。いくつかの実施形態において、係止用装置３３０は、アーム３２５に沿った係止用装置の滑りを防止する又は最小限に抑える１つ以上の耐滑性材料から作製される又は当該材料を含む。例示的耐滑性材料は、ゴム、シリコーンなどを含む。いくつかの実施形態において、係止用装置３３０は、ゴム、シリコーンなどの耐滑性の全面又は部分コーティングを含む。いくつかの実施形態において、係止用装置３３０は、ゴム、シリコーンなどの耐滑性インサートを含む。いくつかの実施形態において、係止用装置３３０は、係止用装置３３０が一方の方向に容易に摺動できるようにする（例えば、図１０Ｂに示されている位置から図１０Ｃの位置に向かって係止用装置が移動するにつれて、より近い位置に向かって容易に摺動し得る）ものの、反対の方向（図１０Ｃに示された位置から図１０Ｂの位置に向かって移動する）ではより多くの摩擦を提供する、指向性コーティング又は指向性パターン（など）を有していてよい。
【００８９】
いくつかの実施形態において、ワイヤ状特徴部２１０／２２０又は３１０／３２０は、おおよそ丸いものであり得るが、このような特徴部は、おおよそ卵形、方形、多角形、曲線状の辺を伴う多角形、又は、撤去可能性という機能性を補助するあらゆる形状のものであってよい。いくつかの実施形態において、ワイヤ状特徴部２１０／２２０又は３１０／３２０は、インプラントの幅よりも実質的に広い。このことは、テント状にされたインプラントの周りの皮膚を撤去中に挟み込むことを防止する一助となることができる。いくつかの実施形態において、ワイヤ状特徴部２１０／２２０は、インプラントの幅に比べ約２倍ないし約１００倍、幅広である。いくつかの実施形態において、ワイヤ状特徴部２１０／２２０は、インプラントの幅に比べて、約２ないし５０倍、約５ないし約２０倍、約５ないし約１０倍、幅広である。インプラント撤去用ツール２００又は３００は、実質的に円筒形又は柱状の任意のインプラントを含む、皮膚の下でテント状にする能力を有する、任意の適切な形状のインプラントの撤去のために容易に適合させることができる。
【００９０】
いくつかの実施形態において、第１及び第２のアーム２０５／２１５又は３２５は、回収中のインプラントの長さとおおよそ同じ幅となるように構成され得る、又は、（例えば）インプラントの長さよりわずかだけ幅広であるスタンスを有するなど、回収中のインプラントの長さよりも広いスタンスを可能にするように構成され得る。
【００９１】
いくつかの実施形態において、インプラントを撤去するための方法が提供され、これには、本明細書中に記載の撤去用ツールを提供するステップが含まれる。いくつかの実施形態において、この方法はさらに、撤去用ツールの第１のアームをインプラントの第１の端部に配置するステップ及びインプラントの第１の端部及び近接する皮膚を第１の開口部又はワイヤ状特徴部２１０／２２０又は３１０／３２０の内部に包囲する又は他の形で捕捉するステップ、ならびに、患者の体内において撤去用ツールの第２のアームをインプラントの第２の端部に配置するステップ及びインプラントの第２の端部及び近接する皮膚を第２の開口部又は他のワイヤ状特徴部２１０／２２０又は３１０／３２０を用いて包囲又は他の形で捕捉するステップ、のうちの少なくとも１つをさらに含む。いくつかの実施形態において、撤去用ツールの第１及び第２のアームは、インプラントの第１及び第２の端部に同時に配置されてよい、又は、逐次的に配置されてもよい。いくつかの実施形態においては、同時設置が好ましい場合がある。
【００９２】
ワイヤ状特徴部２１０／２２０又は３１０／３２０がひとたびインプラントの端部と整列されたならば、ユーザは、２つの相対するアーム２０５／２１５又は３２５を押し合わせることができる。２つの相対するアーム２０５／２１５又は３２５が押し合わせられるにつれて、一方の第１のワイヤ状特徴部２１０又は３１０及び他方の第２のワイヤ状特徴部２２０又は３２０は、共により近づくように移動する。いくつかの実施形態において、第１のワイヤ状特徴部２１０又は３１０及び第２のワイヤ状特徴部２２０又は３２０は、１つ又は複数の同じ機能を果たすように構成され、第１及び第２のワイヤ状特徴部２１０／２２０又は３１０／３２０は、同一に構成され得る又は実質的に同一に構成され得る。
【００９３】
第１及び第２のワイヤ状特徴部２１０／２２０又は３１０／３２０が第１の位置に押し合わされた時点で、インプラントの少なくとも１つの端部は、インプラントの１つ又は複数の端部又はその周りにおいて、患者の皮膚内に１つ又は複数のテント状の部分を創出することができる。いくつかの実施形態において、第１及び第２のワイヤ状特徴部２１０／２２０又は３１０／３２０が第１の位置まで押し合わされた時点で、インプラントは、患者の皮膚の中で、インプラントの端部又はその周りでテント状の部分を創出することができる。係止及び／又はラチェット装置２３０又は３３０は、撤去用ツールに関してハンズフリーで、後続ステップ（例えば切開及び切開部からのインプラントの撤去）をユーザ／術者が実施できるようにするために、係合され得る。こうして、ひとたび撤去用ツール２００又は３００がその係止位置（第１の位置）に位置したならば、撤去用ツールは、その位置を保持し、術者はそれを保持する必要がない。
【００９４】
インプラントの一方の端部の近くの患者の皮膚内のテント状の部分の内側又は近くで、切開が行なわれる。ひとたび切開が行なわれたならば、切開部の近くのインプラントの端部は、皮膚から外に突出することができ、ここで、鉗子などによって取り込まれ得る。いくつかの実施形態において、切開が行なわれた場所とは反対のインプラントの端部において、撤去用ツールのアームは、第１及び第２のワイヤ状特徴部２１０／２２０又は３１０／３２０が第１の位置にあるとき、少なくともインプラントの端部を切開部から外に押し出させる。いくつかの実施形態においては、切開部と反対側のインプラントの端部において、ワイヤ状特徴部２１０／２２０又は３１０／３２０を介して力を加えることができ、力は、インプラントを切開部から外に駆動するのを助けることができる。いくつかの実施形態においては、第１及び第２のアーム２０５／２１５又は３２５を第２の位置に向かってさらに押し合わせることによって力を加えることができ、こうして、少なくともインプラントの端部を切開部から外に押し出させる。図１３を参照のこと。
【００９５】
指摘された通り、係止及び／又はラチェット装置２３０又は３３０は、押し合わされるにつれてのアーム２０５／２１５間の距離を保持するために、撤去用ツール２００又は３００と共に含められてよい。いくつかの実施形態において、係止及び／又はラチェット装置２３０又は３３０は、第１の位置及び第２の位置で、アーム２０５／２１５又は３２５の間の距離を保持する。このようにして、術者は、第１の位置又は第２の位置のいずれにおいても、撤去用ツール２００又は３００を保持する必要がない。同様に、撤去用ツール２００又は３００は、図１０Ｂに示された構成、第１の位置、第２の位置、及び、図１０Ｃに示された位置の間の任意の位置などの、中間位置も保持し得る、ということも指摘しておくべきである。
【００９６】
いくつかの実施形態において、係止用装置３３０は、撤去用ツール３００が開放配向にあるとき、連結用構造３３５に比較的近い点において相対するアーム３２５を係合、フック留め、ルーピングする又は囲み込む摺動摩擦係止機構（本明細書では代替的に「摺動係止機構」又は「摩擦係止機構」としても記載されている）を含むことができる。いくつかの実施形態において、摺動摩擦係止機構３３０は、相対するアーム３２５が押し合わせられるにつれて、ワイヤ状特徴部３１０／３２０に向かって相対するアーム３２５に沿って係止機構３３０を摺動させることで、ユーザにより係合される。ユーザが相対するアーム３２５を解放した時点で、連結用構造３３５からの張力（例えば、バネ様又はコイル様の張力）が相対するアーム３２５を摺動摩擦係止機構３３０に対し押しつける。いくつかの実施形態において、係止用装置３３０はアーム３２５に沿った係止用装置の滑りを防止又は最小限に抑える、例えばゴム、シリコーンなどの１つ以上の滑り抵抗性材料から製造される又は当該材料を含む。係止用装置３３０はこうして、アーム３２５が容易に分離できないように互いに特定の距離をおいてこれらの相対するアーム３２５を保持する。連結用構造３３５からの張力及び相対するアーム３２５に対する係止機構３３０間の摩擦は、テント状の部分を創出する処置中、相対するアーム３２５に沿って摺動摩擦係止機構３３０が偶発的に摺動しないようにしている。いくつかの実施形態では、術者が、アーム３２５を押し合わせるにつれて摩擦係止機構３３０を摺動させ、いくつかの実施形態では、術者がアーム３２５を押し合わせるにつれて（すなわち術者が係止機構３３０を摺動させることなく）摩擦係止機構３３０がアーム３２５を下へ摺動する。
【００９７】
図１１Ａは、一実施形態における、設置用ガイド１００が患者の皮膚１５５の外部表面上で実質的に不動の状態にとどまっている間に、皮膚１５５の表面上の挿入点１６０内に、インジケータバンド１７０を有する設置用ツールカニューレ１１５が挿入された、患者の皮膚の表面の下へのインプラントの設置を例示している。挿入処置中、設置用ツール１２０の取っ手、ひいては設置用ツールカニューレ１１５は、設置用ガイド１００上のパイロットチューブの中央長手方向軸に対して、例えば、約９時ないし約３時、約１０時ないし約２時、又は、約１１時ないし約１時の区間又は範囲内で、時計回り及び反時計回り方向に術者によって正転及び逆転され得る。いくつかの実施形態において、回転は、約１０時ないし約２時の間であってよい。設置用ガイド１００が皮膚１５５の外部表面上で実質的に不動の状態にとどまっている間の、設置用ツール１２０の取っ手部分及び設置用ツールカニューレ１１５の回転は、患者の皮膚１５５の表面下、約０．５ｍｍないし約４．５ｍｍ、約１ｍｍないし約４ｍｍ（例えばいくつかの実施形態において、約１．５ｍｍないし約３ｍｍ）などの既定の深さにおけるインプラントの制御された設置を提供する。設置用ツールカニューレ１１５が図示された方向（図１１Ａに右から左への１本の矢印により示されている）に挿入されていくにつれて、術者の指によって、皮膚１５５の外部表面に対して直接的に逆向きの牽引力が加えられ得る。（対向牽引力は、図１１Ａ中に左から右への４つのより小さい矢印によって例示されている。）
【００９８】
図１１Ｂはさらに、一実施形態における、患者の皮膚１５５の表面上の挿入点１６０に設置用ツールカニューレ１１５上のインジケータバンド１７０が到達又は接近するまでの、患者の皮膚１５５の表面下のインプラントの設置を例示している。インジケータバンド１７０が患者の皮膚１５５の表面上の挿入点１６０に達した時点で、ユーザ／術者は、カニューレが組織内に充分挿入されており、カニューレからインプラントを送出できる、ということを理解／確認することができる。
【００９９】
図１２Ａ、図１２Ｂ及び図１３は、インプラント撤去のための方法のいくつかの実施形態を示す。図１２Ａは、一実施形態において、インプラント撤去用ツールを用いて、インプラントの両端部及び近傍の皮膚において「テント状の部分を創出すること」が開始されている、インプラントを撤去するための方法における最初の段階を例示する。相対するワイヤ状端部３１０／３２０は各々、（皮膚３５０の下に破線で示されている）インプラントのいずれかの端部で皮膚３５０の周りを包囲させられ、インプラント及び近傍の皮膚３５０に皮膚の隆起区分３６０を形成させる。いくつかの実施形態において、連結用構造３３５は、アーム３２５を押し合わせる時にユーザによって加えられる力に対抗するために張力を提供するコイルである。いくつかの実施形態において、係止用装置３３０は、例証されたものなどの摺動摩擦係止機構を含む。図１２Ａに示されているように、アーム３２５は、比較的開放した配向／位置にあり、係止用装置３３０は完全に「係合され」ておらず、むしろ係止用装置３３０は、アーム３２５上において、比較的連結用構造３３５の近くで端部３１０／３２０から離れたところに位置付けされる。
【０１００】
図１２Ｂは、一実施形態において、インプラント３７０の各端部と近傍の皮膚がツール端部３１０及び３２０により包囲されている、皮膚の隆起区分３６０の下の、インプラントの各端部の周りに形成されたテント状の部分の側面図を例示している。術者は、インプラント３７０のテント状にされたいずれかの端部において、包囲された皮膚内に切開を行なうことができる。
【０１０１】
図１３は、一実施形態において、ツール端部３１０により包囲された皮膚３５０内で、テント状にされた一方の端部近くに外科用メス３８０を介して作られた切開部からインプラントが出現している、インプラントを撤去するための方法における後続する一段階を例示している。いくつかの実施形態において、切開は、インプラント撤去用ツール３００に対して「ハンズフリー」で実施され得る。すなわち、インプラントのテント状にされた構成は、切開及び撤去ステップ中に、ユーザ／術者が撤去用ツールを保持する又はさらに操作することなく、維持される。図１３に示されているように、アーム３２５は、閉鎖配向／位置（例えば第２の位置）にあり、係止用装置３３０は、「係合」されており、インプラントは切開部から出現し始めている。係止用装置３３０は、アーム３２５上において、図１２Ａに示された係止用装置３３０の位置に比べ連結用構造３３５からさらに離れ、端部３１０／３２０にさらに接近して位置付けされている。
【０１０２】
図１４は、別の実施形態において、パイロットチューブ５０５及び視認開口部５１０の位置を示す設置用ガイドを例示する。同様に示されているのは、設置用ガイド５００の剛性を増大させるための立ち上げられた側面５５０及びガセット板５４０である。ガセット板５４０は概して、直交方向に配向されており、いくつかのガセット板は、パイロットチューブ開口部５０５の近くで、ガイド５００の全幅にまたがり、他のガセット板は、中央長手方向軸に対してならびに視認開口部５１０の長さに対して直交する方向に配向されて、ガイド５００の部分的な幅にまたがっている。同様に示されているのは、カニューレ１１５の挿入のために患者の皮膚内に切開を行なうときに通る切開開口部５９０である。いくつかの実施形態においては、接着性ライナ５９５が設置用ガイド５００の下側に貼付され、接着性ライナ５９５は、ライナの両側に接着剤層を有し、こうして設置用ガイド５００の下側及び患者の皮膚の外部表面の両方に接着する。いくつかの実施形態において、接着性ライナは、切開部内へのカニューレ１１５の挿入時点に患者の皮膚に逆向きの牽引力を提供する。
【０１０３】
図１５は、別の実施形態において、ワイヤが、全てステンレス鋼製金属ワイヤなどの金属ワイヤで作られた特徴部４１０／４２０及び相対するアーム４２５を形成している、インプラント撤去用ツール４００を例示する。ワイヤ状特徴部４１０／４２０は、連結用構造４３５により連結された相対するアーム４２５の各端部において示されている。いくつかの実施形態において、連結用構造４３５は、張力を提供するコイル又はバネである。いくつかの実施形態において、アーム４２５、ワイヤ状特徴部４１０／４２０及び連結用構造４３５（例えば「実質的に対称的な」例えば円形のコイル又はバネの形に構成される）は、単一の一定長の又は２つ以上の一定長のワイヤなどで製造される。
【実施例】
【０１０４】
１．設置用ガイド：剛性対可撓性構造
２つの異なる設置用ガイド、Ａ（剛性）及びＢ（可撓性）を伴う設置用ツールを用いて、移植深さを比較した。具体的には、浸透圧ポンプ（直径およそ４ｍｍ×長さ４４ｍｍ）を、代表的な設置用ツール及び２つの異なる設置用ガイドＡ及びＢを用いて、生きたブタのモデルの体内に移植した。実質的に剛性のガイドである設置用ガイドＡは、図５Ａ〜Ｅの中に例示されているガイドに類似していた。設置用ガイドＢ（図示せず）は、比較的可撓性のガイドであった。設置用ガイドＡは、設置用ガイドＢのより可撓性の高いプラスチックの約２倍の厚みを有する剛性成形プラスチックで製造した。設置用ガイドＡは、挿入処置中に術者により、長手方向又は幅方向に実質的に湾曲、歪曲又は屈曲され得ない程度の充分な剛性を有していた。対照的に、設置用ガイドＢは、挿入処置中、術者が容易に長手方向及び幅方向に湾曲及び屈曲させることができた。設置用ガイドＡ及びＢは、おおよそ同じ長さ（約８６ｍｍ）であったが、設置用ガイドＢは、設置用ガイドＡ（幅約２５ｍｍ）のおよそ半分の幅を有し、設置用ガイドＡの高さのおよそ半分の高さを有する立ち上げられた側面を有していた。設置用ガイドＢには、設置用ガイドＡには存在するガセット板及び視認開口部が欠落していた。
【０１０５】
設置用ガイドＡの使用は、皮膚の外部表面下、約３ｍｍ以下の深さにおける浸透圧ポンプの設置を一貫して結果としてもたらした。具体的には、移植されたインプラントの各端部（すなわち近位及び遠位）の深さを記録し、平均深さを計算した。例えば下表１を参照のこと。
【０１０６】
対照的に、設置用ガイドＢの使用は、多くが目視及び動悸では深過ぎると思われた皮膚の外部表面下のさまざまな深さにおける浸透圧ポンプの一貫性のない設置を結果としてもたらした。このため、設置用ガイドＡに類似するものなどの比較的剛性のある設計を有するガイドが好ましい可能性がある。
【０１０７】
２．設置用ガイド：直接的対間接的対向牽引力
２つの異なる設置用ガイド、Ａ（幅狭、約２５ｍｍ）及びＣ（約２倍の幅）を伴う設置用ツールを用いた移植深さを比較した。具体的には、代表的な設置用ツール並びに２つの異なる設置用ガイドＡ及びＣを用いて生きたブタモデルの体内に、浸透圧ポンプ（およそ直径４ｍｍ×長さ４４ｍｍ）を移植した。比較的幅狭のガイドである設置用ガイドＡは、図５Ａ−Ｅに例示されているガイドに類似していた。比較的幅広のガイドである設置用ガイドＣは、図１４中に例示されたガイドに類似していた。設置用ガイドＡ及びＣは、実質的に類似の剛性を示した。両方共、実施例１の設置用ガイドＢよりも著しく高い剛性を有していた。
【０１０８】
比較的幅狭の設置用ガイドＡを伴って構成された設置用ツールを使用して、生きたブタモデルの体内に直接的対向牽引力を用いて浸透圧ポンプを移植した。具体的には、術者は自らの利き手で設置用ツールの取っ手をつかみ、設置用ツールの取っ手ひいてはカニューレを設置用ガイド上のパイロットチューブの中央長手方向軸に対して正転又は逆転させることによって、設置用ツールのカニューレを組織内に挿入した。利き手でない方の手の１本以上の指／親指を用いて、術者は、設置用ガイドのいずれか又は両方の側で皮膚の外部表面に直接、対向牽引力を加えた。これを行ないながら、術者は、カニューレを介して組織内部に挿入用チャネルを創出し、設置用ガイドに関してハンズフリーで作業しながら、浸透圧ポンプを設置した。
【０１０９】
設置用ガイドＡの使用は、皮膚の外部表面下、約３ｍｍ以下の深さにおける浸透圧ポンプの設置を一貫して結果としてもたらした。具体的には、移植されたインプラントの各端部（すなわち近位及び遠位）の深さを記録し、平均深さを計算した。例えば下表１を参照のこと。
【０１１０】
比較的幅広の設置用ガイドＣを伴って構成された第２の設置用ツールを使用して、生きたブタモデルの体内に間接的対向牽引力を用いて浸透圧ポンプを移植した。具体的には、術者は自らの利き手で設置用ツールの取っ手をつかみ、カニューレを設置用ガイド上のパイロットチューブの中央長手方向軸に対して正転又は逆転させることによって、設置用ツールのカニューレを組織内に挿入した。利き手でない方の手で、術者は、設置用ガイドＣの外側縁部上に直接１本以上の指／親指を押圧しこうしてガイド自体を切開部全体にわたり皮膚の外部表面上に押圧することによって、間接的に対向牽引力を加えた。
【０１１１】
設置用ガイドＣは、術者がカニューレを組織内に挿入しようとするにつれて、挿入用カニューレと同じ方向で膨れ上がって皮膚が後退する「アコーデオン効果」を、切開部近くの皮膚が示すため、問題の多いものであることが設置処置中に判明した。この発見事実に応えて、修正バージョンの設置用ガイドＣを有する設置用ツールを用いて、設置処置を反復した。この修正ガイドは、設置用ガイドＣを挿入／設置処置中に挿入部位の周りの皮膚の外部表面に貼付する下側に貼付された両面接着剤層（図１４の層５９５）をそれ自体有していた。術者は再び、修正された設置用ガイドＣの外側縁部上に直接１本の指と親指を押圧しこうして切開部全体にわたり皮膚の外部表面上にガイド／接着剤層を押圧することによって、間接的に対向牽引力を加えた。
【０１１２】
接着剤層を有するこの修正バージョンの設置用ガイドＣも、術者がカニューレを組織内に挿入しようとするにつれて切開部の近くの皮膚が同様に膨れ上がって後退したため、同じように問題があることが判明した。
【０１１３】
したがって、設置用ガイドＡに類似するガイドをさらに最適化しテストした。これらの最適化されたガイドは比較的剛性であり、術者が切開部及び設置用ガイドの一方の側又は両側の外部表面に直接対向牽引力を加えることができる程度に充分幅狭である。
【０１１４】
３．生きたブタモデルにおける移植深さの測定
本明細書中に記載の代表的な設置用ツール及び設置用ガイドを用いて生きたブタモデルの体内に移植された４８基の浸透圧ポンプ（およそ直径、例えば幅、約４ｍｍ×長さ４４ｍｍ）について深さ測定を行なった。６つの異なる寸法を有する設置用ガイドを使用した。
【０１１５】
６つの設置用ガイドは、図５Ａ〜Ｅに例示されたガイドに類似する設計を有していた。ガイドのうち３つは、８１ｍｍの長さを有し、３つは８６ｍｍの長さを有していた。ガイドはわずかに異なるパイロットチューブ角度を有していたが、このような角度は全てわずかな（すなわち０°より大きい）上り勾配で構成されていた。こうして、カニューレは、ガイドの下側の水平面に対してわずかな上り勾配又は上向きの傾斜で、各々のパイロットチューブを通過した。このわずかな上り勾配でのカニューレの通過により、カニューレの先端部は、パイロットチューブの中を進みパイロットチューブを通過して設置用ガイドの遠位端部に向かうにつれて、ガイドの下側により近いところを移動することになった。
【０１１６】
対照的に、ガイドの下側に平行（すなわち０°）であったパイロットチューブを有する又は設置用ガイドの下側に対して一定の下り勾配（すなわち０℃未満）で角度付けされたパイロットチューブを有する設置用ガイドは、カニューレを皮膚の外部表面下、組織内により深く、時として過度に深く誘導し得る。
【０１１７】
わずかな上り勾配又は上向きの傾斜を有する適切なパイロットチューブ角度は、設置用ガイドの「オフセット寸法」を測定することによって確認した。オフセット寸法は、パイロットチューブの中に鋼製ロッドを設置し、例えばパイロットチューブの近位端部から３０．０ｍｍ及び７６．０ｍｍのところで、挿入されたロッドの上面からガイドの下側に沿った２つの点の各々までの平均距離を測定することによって測定された。上向きの傾斜を有する適切なパイロットチューブ角度を有する設置用ガイドの、３０．０ｍｍの点における挿入されたロッド上面からガイドの下側までの距離は、７６．０ｍｍの点において測定された対応する距離に比べて大きい。
【０１１８】
生きたブタモデルの腹部上の８つの異なる設置部位（Ｌ１−Ｌ８）を使用し、各部位に６個を設置（Ｐ１〜Ｐ６）したため、結果として４８個の浸透圧ポンプを設置することになった。さらに、２個の浸透圧ポンプを意図的に規定の深さより深く（例えば皮膚の外部表面下方約５ｍｍ超の深さ）設置することを試みた熟練ユーザが、２個の追加の設置用ガイド及び設置用ツールを無作為に選択した。これら２つのインプラントを組織内に過度に深く設置しようとする試みにも関わらず、これらのインプラントは、表１中に報告されている４８個のインプラントの適切な深さと目視時点では実質的に類似であるように見えかつ動悸時点では実質的に類似であると感じられた深さに設置されており、このことはすなわち、ユーザ／術者が皮膚の外部表面下方の過度に深いところに浸透圧ポンプを故意に挿入できないように、開示対象の設置用ガイドが有効にこれを防止しているということを示している。
【０１１９】
４８個の浸透圧ポンプを設置した後、各浸透圧ポンプが設置された皮膚の外部表面下方の深さを測定し記録するために、超音波測定を使用した。具体的には、各端部（すなわち近位及び遠位）の深さを記録し、浸透圧ポンプについての記録された深さと平均深さを計算し、下表１に作表した。
【０１２０】
【表１】
2018525047.tif 000003
【０１２１】
４８件の移植についての平均深さは、皮膚の外部表面下方、１．８５ｍｍであった。平均近位深さは１．８７ｍｍであり、平均遠位深さは１．８４ｍｍであった。最も浅い移植は１．２ｍｍ（近位端部で、一回発生）であり、最も深い移植は３．２ｍｍ（近位端部で、同じく一回発生）であった。挿入された浸透圧ポンプは全て、熟練ユーザが所望される深さよりも深く設置しようとした２個の浸透圧ポンプでさえ、容易に撤去することができた。
【０１２２】
表１のデータ及び熟練ユーザが所望の深さよりも深く設置しようとしたができなかった２つの浸透圧ポンプからのデータは、８１ｍｍ又は８６ｍｍの長さを有する６つの設置用ガイド全てが、皮膚の外部表面下方における浸透圧ポンプの適切な設置を保証し、それらの撤去は容易に可能であった、ということを実証している。
【０１２３】
４．健康な成人対象におけるプラシーボを伴う浸透圧ミニポンプの設置を評価する研究
主目的
プラシーボ浸透圧ミニポンプ「インプラント」（本明細書中では、「プラシーボ浸透圧ミニポンプ」と呼ぶこともある）を患者の腹壁の真皮下内に、インプラントの容易な撤去を促す深さで一貫して送達するために、臨床医が開示対象の設置用システムを正しく使用できる能力を査定すること。対象の腹壁内の皮膚の下に浸透圧ミニポンプを設置する（すなわち挿入する）ために、設置用システムを使用した。設置用システムは、共に図１Ａ中に示されたものに類似した設置用ツール及び設置用ガイドを含んでいた。設置用ガイドは設置用ツールと相互作用し、プラシーボ浸透圧ミニポンプの設置深さを制御し限定するように設計されていた。
【０１２４】
主要評価項目
・  設置用システムを用いて正しく設置されたプラシーボ浸透圧ミニポンプの数と百分率
【０１２５】
副次的目的
設置用システムを用いて設置されたプラシーボ浸透圧ミニポンプを撤去する能力を査定すること。
【０１２６】
設置用システムを用いてプラシーボ浸透圧ミニポンプを設置するための処置の忍容性を査定すること。
【０１２７】
設置用ツールの一実施形態についての処置者のそれまでの経験に基づいて、設置用システムの使用し易さを査定すること。
【０１２８】
副次的評価項目
・  設置用システムを用いて設置され正しく撤去されたプラシーボ浸透圧ミニポンプの数及び百分率
・  （０日目の設置直後及び２週目の撤去直前に決定された）プラシーボ浸透圧ミニポンプの設置の平均深さ。
・  ｍｍ単位で測定された挿入されたプラシーボ浸透圧ミニポンプの近位及び遠位端部の深さの一貫性。
・  設置用システムの一実施形態を用いてプラシーボ浸透圧ミニポンプを設置するための処置の忍容性の査定。
・  本明細書中で説明された設置用システムの使用し易さの査定。
【０１２９】
追加の査定
・  挿入されたプラシーボ浸透圧ミニポンプの設置に要した時間。
・  挿入されたプラシーボ浸透圧ミニポンプの撤去に要した時間。
【０１３０】
処置の継続期間
およそ５週間、スクリーニング検診（検診１、２週間前（検診１、術前２週間［１４日前ないし２日前］）、設置検診（検診２、０日目）、撤去検診（検診３、２週間±３日目）処置後の電話による追跡調査（検診４、３週間±７日目）。
【０１３１】
方法論
これは、健康で正常なボランティアにおける、第１段階、非盲検、単一施設研究であった。１８才以上６０才以下の合計２０名の健康な成人対象（男女の対象）が参加した。対象には、１回のスクリーニング検診、１回の設置検診及び１回の撤去検診を含めた３回の検診とそれに続く撤去セッションより一週間後の電話追跡調査への参加が求められた。各対象についての参加の合計の継続期間は、約５週間であった。
【０１３２】
病歴を精査し、試験対象患者基準及び除外基準を確認するために、スクリーニング検診において、対象に対し面談が行なわれた。検診１（術前２週間［１４日前ないし２日前］）でスクリーニング基準を満たした対象は、設置検診のため、研究施設へ検診２（０日目）に出向いた。各対象は、設置用システムの一実施形態を用いて腹壁の左上腹部四半部内へのプラシーボ浸透圧ミニポンプの設置（すなわち挿入）を受けた。訓練された認定臨床医が、適切な無菌技術を用いて設置を実施した。有資格超音波技師が設置されたプラシーボ浸透圧ミニポンプの近位及び遠位深さを確認した。対象は、この時点で、臨床医が退院許可を行う準備が整った状態になった。切開部治癒のための２週間の期間の後、対象は、プラシーボ浸透圧ミニポンプの深さを確認するための２回目の超音波読取りのため検診３（２週間±３日目）に戻った。検診３において、その直後に、臨床医がプラシーボ浸透圧ミニポンプを撤去した。
【０１３３】
設置及び撤去を行なわせる目的で、熟練臨床医と非熟練臨床医を採用した。両者共、最低２年間の専門医としての実績を有していた。非熟練臨床医は、浸透圧ミニポンプの設置及び撤去手術について未経験であった。熟練臨床医は、出願人により訓練され認定されており、少なくとも１０例の浸透圧ミニポンプ設置及び撤去処置を行なっていた。熟練臨床医グループは、２名の臨床医を包含していた。このグループは、装置の設置の５０％と撤去の５０％を行なった。非熟練臨床医グループも同様に２名の臨床医を包含していた。このグループは同様に、装置の設置の５０％と撤去の５０％を行なった。同じ臨床医が、同じ対象において設置及び撤去手術を行なった。
【０１３４】
容易な撤去を促す適切な（例えば５ｍｍ未満の）深さにプラシーボ浸透圧ミニポンプを一貫して送達する設置用システムの能力を、設置時及び撤去時に超音波により評価した。超音波は設置時と撤去前の両方において行なわれたが、これは、リドカイン由来の流体が当初の設置時における実際の深さを評価する能力を阻害する可能性があったからである。このリドカイン由来の流体は概して、２週間以内で減少した。設置用システムを用いて当初設置されたプラシーボ浸透圧ミニポンプを撤去する能力は、装置の撤去のために設置後２週間以内に対象を再来させることによって実証された。
【０１３５】
設置用システムを用いて臨床医が設置作業を行なう時間を記録し、プラシーボ浸透圧ミニポンプの場所を文書で記録した。
【０１３６】
研究用浸透圧ミニポンプ
本明細書で説明されている浸透圧ミニポンプは、２型糖尿病の治療向けに開発中の浸透圧ミニポンプに入ったエキセナチドからなる治験中の組合せ製品の一部である。この研究のためには、プラシーボ浸透圧ミニポンプを使用した。プラシーボ浸透圧ミニポンプは、設置用システムを用いて、臨床検診中に、訓練された有資格医療関係者によって腹壁内に設置された。
【０１３７】
プラシーボ浸透圧ミニポンプは、直径（例えば幅）約４ｍｍ×長さ約４４ｍｍの外部寸法を有する円筒形のチタン合金タンクで構成されていた。タンクは、一方の端部が速度制御型半透過膜でキャッピングされ、もう一方の端部は、薬剤タンクからプラシーボが放出されるときに通る拡散モデレータでキャッピングされていた。プラシーボ調合物、ピストン及び浸透圧エンジンは、シリンダの内部に格納されていた。プラシーボ浸透圧ミニポンプは、浸透原理に基づいた既定の速度でプラシーボを放出した。細胞外空間由来の水は、半透過膜を通って直接浸透圧エンジン内へと装置に入り、この浸透圧エンジンが膨張して、低く一貫性ある走行速度でピストンを駆動した。ピストンの運動は、プラシーボを拡散モデレータのオリフィスを通して強制的に放出させた。プラシーボ浸透圧ミニポンプは、エキセナチドもいずれの生物学的に活性な薬剤も格納していなかった。
【０１３８】
スクリーニング法（検診１、１４日ないし２日前）
対象は、設置セッション前２ないし１４日以内に、スクリーニング検診のため研究現場に出向いた。スクリーニング検診は、対象の同意を得ること、対象の病歴を精査すること、検査検体を収集すること、及び、対象が試験対象患者選択／除外基準を満たしていることを確認することで構成されていた。対象は、スクリーニング検診において行なわれた査定により適格性が確認された後、臨床医に割当てられた。
【０１３９】
設置セッション（検診２、０±０日目）
現場スタッフが対象と面談して、スクリーニング以降、試験対象患者選択／除外基準の制限が侵害されていないことを確認した。対象は、以下の順序で試験を受けた：
・  臨床医により施される試験領域のマーキング及び清浄。
・  リドカインの注入及び設置用システムを用いたプラシーボ浸透圧ミニポンプの設置。
・  およそ３ないし５分間滅菌ガーゼで切開部位に対し直接定常圧力を加えることによって、止血を達成した。
・  切開部のいずれかの側に対しＭａｓｔｉｓｏｌ（登録商標）Ｓｋｉｎ  Ａｄｈｅｓｉｖｅを適用した。
・  切開部の縁部を対面させ、Ｓｔｅｒｉ−Ｓｔｒｉｐｓ（商標）及び標準的包帯で閉じた。
・  超音波機及びプローブを用いて、超音波技師によってプラシーボ浸透圧ミニポンプの近位及び遠位端部の深さが確認された。
【０１４０】
プラシーボ浸透圧ミニポンプの近位及び遠位深さがひとたび確認された時点で、臨床医は対象の退院準備を行なった。対象は、撤去セッションのため２週間以内に戻ることが予定されていた。臨床医は、設置用システムについての印象に関する用意された質問を受け、同様に、いくつかのアンケートの記入を依頼された。
【０１４１】
撤去セッション（検診３、２週間±３日目）
対象は、以下の順序で試験を受けた：
・  臨床医が、設置された（すなわち挿入された）プラシーボ浸透圧ミニポンプの位置を突きとめ、マーキングした。
・  超音波技師が、超音波を用いてプラシーボ浸透圧ミニポンプの深さを確認した。
・  撤去部位はＣｈｌｏｒａ  Ｐｒｅｐ（登録商標）で清浄され、それに続いて臨床医は、切開を行なうべき場所にプラシーボ浸透圧ミニポンプの先端部を不動化しテント状の部分を創出した。
・  リドカインが装置のテント状にされた先端部に注入され、これに続いて、刃が金属先端部に接触したと臨床医が感じるまで、装置上で下方に外科用メスの刃を用いて小さく（切り傷）切開が行なわれた。その後切開部を通って装置が撤去された。
・  およそ３ないし５分間滅菌ガーゼで切開部位に対し直接定常圧力を加えることによって、止血を達成した。
・  ひとたび止血を達成した時点で、切開部をＳｔｅｒｉ−Ｓｔｒｉｐｓ（商標）及び標準的包帯で閉じた。
・  撤去セッションの後、臨床医は、そのプラシーボ浸透圧ミニポンプ撤去体験に関する主観的な印象を得るための質問を受け、いくつかのアンケートの記入を依頼された。
【０１４２】
結果
設置及び撤去処置の要約
主要評価項目は、熟練グループと非熟練グループ間で同じであった。両方のグループ共、全てのプラシーボ浸透圧ミニポンプを適切に設置した（表２、ｎ＝２０、各グループ内の対象１０名、１００％）。
【０１４３】
【表２】
2018525047.tif 000004
【０１４４】
正しく撤去されたプラシーボ浸透圧ミニポンプの数及び百分率に関する副次的評価項目は、熟練グループと非熟練グループ間で類似し、熟練グループ（以下参照）による対象数は９名（９０％）及び非熟練グループによる対象数は１０名（１００％）であった。プラシーボ浸透圧ミニポンプの平均深さ及びその近位及び遠位端部の深さの一貫性についての副次的評価項目は、臨床医グループ間で類似していた。表３及び４を参照のこと。追加の評価項目に関するデータが、表５及び６にまとめられている。
【０１４５】
【表３】
2018525047.tif 000005
【０１４６】
【表４】
2018525047.tif 000006
【０１４７】
【表５】
2018525047.tif 000007
【０１４８】
【表６】
2018525047.tif 000008
【０１４９】
結論
研究の間、臨床的に有意な臨床検査又は理学的検査の発見事実は全く存在しなかった。研究の間、プラシーボ浸透圧ミニポンプの設置及び撤去は、対象の体内で充分に忍容された。予想外の安全上の懸案事項は全く識別されなかった。
【０１５０】
本明細書中に記載の設置用システムの一実施形態を使用することにより、約５ｍｍ未満の規定の深さにおけるプラシーボ浸透圧ミニポンプの適切な設置が結果としてもたらされ、この深さは、設置手術についての臨床医の以前の経験の如何に関わらず、全ての対象からのインプラントの好適かつ安全な撤去を可能にした。設置用システム及び移植技術の或る側面が、皮膚の外部表面下の組織の内部でのインプラントの設置を最適化することが発見された：すなわち
（ｉ）設置用ガイドのパイロットチューブの内部を自由に回転できる設置用カニューレの能力は、インプラントの挿入の容易さと正確さを改善することが発見された。インプラントを移植する前の、切開部内へのカニューレの挿入中、設置用ツールの取っ手部分及びカニューレは、概して、術者の利き手によって、時計回り及び反時計回り方向で左右に、例えば設置用ガイド上のパイロットチューブの中央長手方向軸に対して約１０時ないし約２時の間の区間又は範囲内で正転及び逆転された。このような回転は、設置用ガイドが患者の皮膚の表面上で回転することなく実質的に不動の状態にとどまっている一方で、設置用ツール及びガイドの素早い使用を可能にし、損傷又はあざを最小限にとどめる又は全く無くした状態で、異なる患者の体内のさまざまな形状及びタイプの組織内へのカニューレの滑らかでかつ制御された進行を促進した。
（ｉｉ）利き手でない手を用いた設置用ガイドの比較的ハンズフリーの操作が、設置処置を最適化することが発見された。ヒトの死体や生きたブタモデルのより乾燥した組織よりもさらに保湿された組織を有する生きたヒトの対象の組織の中へのインプラントの適切な挿入には、概して、カニューレが組織内に前進するにつれて挿入の両側で皮膚の外部表面が「膨れ上がる」又は「押し返される」、「アコーデオン効果」の発生を防止するために、或る程度の対向牽引力が必要とされた。対向牽引力は、ヒトの死体や生きたブタモデルのより乾燥した組織に比べてこの効果を受けやすい生きたヒトの組織にとって、非常に厄介なものであることが判明した。このような対向牽引力は、可能なかぎり挿入部の近くで、挿入部の片側又は両側で皮膚の外部表面に直接、利き手でない手の指／親指を用いて最もうまく加えることができるということが発見された。したがって、比較的幅広（例えば約８０ｍｍ超）のガイド、又は、患者の皮膚の外部表面上に利き手でない手でつかまれる若しくは押圧されるように設計されたガイドは、挿入部の両側における皮膚の外部表面の「膨れ上がり」（又は「押し返し」）を防げなかったことを理由として、問題の多いものであることが判明した。対照的に、例えば図５Ａ〜Ｅに示されたものなどの比較的幅狭（例えば約１５ｍｍないし約３５ｍｍ）のガイドは、比較的狭いガイドの片側又は両側で比較的挿入部の近くで患者の皮膚の外部表面に対して直接、利き手でない手の指／親指を用いて臨床医が対向牽引力を加えることを可能にするため、より優れていることが判明した。
（ｉｉｉ）設置用ガイド上の視認開口部も同様に、インプラントの挿入の容易さ及び正確さを改善することが分かった。パイロットチューブを通ってガイド下に全体が延在する状態のカニューレの全長よりも長い視認開口部を有するガイドが好まれた。このような長さの視認開口部によって、ガイドは、全体が延在する状態のカニューレの鋭い先端部から張り出し、こうして鋭い先端部からの一定の保護を提供した。さらに、この長さの視認開口部は、挿入中に、前進するカニューレの全長の直ぐ上の皮膚の外部表面を臨床医が観察し触れることができるようにした。皮膚表面下に挿入されたカニューレの全長の視認及び動悸によって、臨床医は、カニューレの適切な挿入ひいてはインプラントの適切な設置を、処置の全行程にわたり監視し確認することができた。
【０１５１】
本出願中に提示されている特許、特許出願、論文、ウェブページ、書籍などを非限定的に含めた刊行物又は他の文書に対するいずれかの及び全ての参照指示は、その全体を参照により本明細書に組込むものである。
【０１５２】
装置、システム及び方法の例示的実施形態が、本明細書中で説明されてきた。他の場所で指摘した通り、これらの実施形態は、単に例示のみを目的として記載されており、限定的ではない。本明細書中に含まれた教示から明らかとなる他の実施形態が可能であり、開示により網羅される。したがって、開示の広さ及び範囲は、上述の実施形態のいずれかによって限定されるべきではなく、本開示及びその等価物によって裏づけされた特許請求の範囲のみにしたがって定義されるべきである。さらに、主題の開示の実施形態は、対象の粒子の分離、集束／濃縮に対応するいずれかの及び全ての要素を含む、他の任意の開示された方法、システム及び装置からのいずれかの及び全ての要素をさらに含むことのできる方法、システム及び装置を含んでいてよい。換言すると、一つ又は別の開示された実施形態からの要素は、他の開示された実施形態からの要素と互換性を有することができる。さらに、開示された実施形態の１つ以上の特徴／要素は、削除することができ、それでもなお結果として特許性のある主題をもたらす（ひいては、主題開示のさらに多くの実施形態さえ結果としてもたらす）ことができる。これに相応して、本開示のいくつかの実施形態は、１つ以上の要素／特徴が特定的に欠落していることによって、１つ及び／又は別の先行技術と特許性ある形で異なっている場合がある。換言すると、或る実施形態に対する請求項は、１つ以上の要素／特徴を特定的に排除するために負の限定を含み、結果として、このような特徴／要素を含む先行技術とは特許性ある形で異なっている実施形態をもたらすことができる。
【図１Ａ】
2018525047.tif 000009
【図１Ｂ】
2018525047.tif 000010
【図２Ａ】
2018525047.tif 000011
【図２Ｂ】
2018525047.tif 000012
【図３Ａ】
2018525047.tif 000013
【図３Ｂ】
2018525047.tif 000014
【図４Ａ】
2018525047.tif 000015
【図４Ｂ】
2018525047.tif 000016
【図４Ｃ】
2018525047.tif 000017
【図５Ａ】
2018525047.tif 000018
【図５Ｂ】
2018525047.tif 000019
【図５Ｃ】
2018525047.tif 000020
【図５Ｄ】
2018525047.tif 000021
【図５Ｅ】
2018525047.tif 000022
【図６】
2018525047.tif 000023
【図７】
2018525047.tif 000024
【図８】
2018525047.tif 000025
【図９】
2018525047.tif 000026
【図１０Ａ】
2018525047.tif 000027
【図１０Ｂ】
2018525047.tif 000028
【図１０Ｃ】
2018525047.tif 000029
【図１０Ｄ】
2018525047.tif 000030
【図１０Ｅ】
2018525047.tif 000031
【図１１Ａ】
2018525047.tif 000032
【図１１Ｂ】
2018525047.tif 000033
【図１２Ａ】
2018525047.tif 000034
【図１２Ｂ】
2018525047.tif 000035
【図１３】
2018525047.tif 000036
【図１４】
2018525047.tif 000037
【図１５】
2018525047.tif 000038
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
インプラントを設置するためのシステムにおいて、
設置用ツールであって、
取っ手部分と、
前記取っ手部分の内部で又はこれに隣接して、及び、前記取っ手部分に対して、移動可能である設置用カニューレであって、一定の長さと、前記取っ手部分の近くに配置された近位端部と、前記近位端部と反対側の遠位端部と、を有し、移植部位における患者の皮膚内の切開部を介して患者の組織内部に前記インプラントを送達するように構成された、カニューレと、
を含む、設置用ツールと、
第１の表面及びパイロットチューブを有する設置用ガイドであって、
前記チューブが、前記設置用カニューレの前記遠位端部を収容するように構成された近位端部と、
第１の距離のところで前記近位端部から離隔されている遠位端部と、
前記第１の表面に対して第２の距離及び１つの角度のいずれか又は両方のところに配置された長手方向中央軸と、
を含み、
当該設置用ガイドが、前記患者の前記皮膚の前記外部表面下の規定の設置深さで前記インプラントの移植を実施するために、前記組織内部で前記設置用カニューレを誘導するように構成されている、設置用ガイドと、
を含む、システム。
【請求項２】
前記第１の距離、前記第２の距離及び前記角度の少なくとも１つは、前記設置用カニューレを誘導し前記インプラントを前記規定の設置深さに送達するように設定されている、請求項１に記載のシステム。
【請求項３】
前記規定の設置深さは、前記患者の前記皮膚の前記外部表面下、約０．５ｍｍないし約４．５ｍｍである、請求項１に記載のシステム。
【請求項４】
前記設置用ガイドは、さらに、視認ウィンドウ又は開口部を含み、前記視認ウィンドウ又は開口部は、前記設置用ガイドの長さ及び幅に沿って延在し、かつ、前記移植部位の周りの皮膚の外部表面領域の目視観察及び／又は触診若しくは触れることを可能にするように構成されている、請求項１に記載のシステム。
【請求項５】
前記設置用ガイドは、さらに、視認開口部を含み、前記視認開口部は、前記設置用ガイドの長さ及び幅に沿って延在し、かつ、前記移植部位の周りの皮膚の外部表面領域の目視観察及び触診又は触れることを可能にするように構成されている、請求項１に記載のシステム。
【請求項６】
前記インプラントが浸透圧ミニポンプである、請求項１に記載のシステム。
【請求項７】
前記設置用カニューレが前記パイロットチューブ内で回転することを可能にするように構成された、請求項１に記載のシステム。
【請求項８】
請求項１に記載の設置用システムを提供するステップ、
を含む、インプラントを設置するための方法。
【請求項９】
前記インプラントを前記設置用カニューレの前記遠位端部内に装填するステップと、
移植部位で前記皮膚内に切開部を創出するステップと、
前記パイロットチューブの前記遠位端部が前記切開部と整列するように、前記移植部位に前記設置用ガイドを配置するステップと、
前記パイロットチューブの前記近位端部内に、装填済みの前記設置用カニューレの前記遠位端部を挿入するステップと、
前記設置用カニューレの前記遠位端部が、前記切開部内に、並びに、前記切開部の下の及び／又は前記切開部に隣接した組織内に、さらに遠くに誘導されるように、前記取っ手部分の少なくとも一部分が前記パイロットチューブの前記近位端部の近傍に来るまで、前記パイロットチューブに対して前記設置用カニューレを移動させるステップと、
前記設置用カニューレから前記インプラントを放出するステップと、
前記患者の前記皮膚から前記設置用カニューレを撤去するステップと、
前記患者の前記皮膚から前記設置用ガイドを撤去するステップと、
のうちの少なくとも１つをさらに含む、請求項８に記載の方法。
【請求項１０】
前記設置用カニューレは、前記パイロットチューブ内部で前記取っ手部分及び設置用カニューレを回転させながら、前記切開部内及び前記組織内に誘導される、請求項９に記載の方法。
【請求項１１】
前記切開部の創出に先立って、
前記移植部位において前記皮膚を清浄するステップと、
前記切開部を作製するために前記皮膚にマークをつけるステップと、
前記マークの付近に局所麻酔薬を注入するステップと、
をさらに含む、請求項９に記載の方法。
【請求項１２】
前記設置用カニューレの解放及び／若しくは撤去、並びに／又は、前記設置用ガイドの撤去、の後、
前記切開部を清浄するステップと、
前記切開部に対し圧力を加えるステップと、
前記切開部の少なくとも一方の側に接着剤を塗布するステップと、
前記切開部を閉鎖するステップと、
のうちの少なくとも１つをさらに含む、請求項９ないし１１のいずれか１項に記載の方法。
【請求項１３】
前記インプラントが、前記規定の深さで前記設置用カニューレから放出される、請求項９ないし１２のいずれか１項に記載の方法。
【請求項１４】
前記規定の深さが、前記患者の前記皮膚の前記外部表面下、約０．５ｍｍないし約４．５ｍｍである、請求項１３に記載の方法。
【請求項１５】
前記インプラントの両方の端部が、実質的に同じである規定の深さに設置される、請求項１４に記載の方法。
【請求項１６】
前記インプラントの両方の端部が、互いから約０．３ｍｍ以内である規定の深さに設置される、請求項１５に記載の方法。
【請求項１７】
設置用ツールと共に使用するための設置用ガイド装置において、当該ガイドが、
第１の表面と、
中央長手方向軸を有するパイロットチューブであって、
前記チューブが、組織にインプラントを送達するために設置用カニューレの遠位端部を収容するように構成された近位端部と、
第１の距離のところで前記近位端部から離隔されている遠位端部と、
前記第１の表面に対して第２の距離及び１つの角度のいずれか又は両方のところに配置された長手方向軸と、
を含み、
当該設置用ガイドが、患者の皮膚の外部表面下の規定の設置深さで前記インプラントの移植を実施するために前記組織内部で設置用ツールの前記設置用カニューレを誘導するように構成されている、パイロットチューブと、
を含む、設置用ガイド装置。
【請求項１８】
前記パイロットチューブ内部での前記設置用カニューレの回転を可能にするように構成された、請求項１７に記載の設置用ガイド。
【請求項１９】
前記第１の表面の長さ及び幅に沿って延在し、かつ、前記インプラントが挿入されつつある部位の周りの皮膚の前記外部表面の領域の目視観察及び／又は触診若しくは触れることを可能にするように構成されている、視認ウィンドウ又は開口部をさらに含む、請求項１７に記載の設置用ガイド。
【請求項２０】
前記視認ウィンドウ又は開口部は、前記カニューレが前記パイロットチューブ内に挿入され、カニューレ全体が前記パイロットチューブ内に延在する状態になった場合に、前記カニューレの先端部を超えて延在する長さを有する、請求項１７に記載の設置用ガイド。
【請求項２１】
前記設置深さが、前記患者の前記皮膚の前記外部表面下、約０．５ｍｍないし約４．５ｍｍである、請求項１７に記載の設置用ガイド。
【請求項２２】
前記パイロットチューブが、前記設置用カニューレを収容しかつ組織内に誘導するように構成されている、請求項１７に記載の設置用ガイド。
【請求項２３】
前記設置用ガイドは、半透明又は実質的に透明である材料から作られている、請求項１７に記載の設置用ガイド。
【請求項２４】
前記パイロットチューブは、前記ガイドの下面に対して傾斜して構成されている、請求項１７に記載の設置用ガイド。
【請求項２５】
前記設置用ガイドが、ユーザによって長手方向又は幅方向に容易に湾曲又は屈曲され得ない、請求項１７に記載の設置用ガイド。
【請求項２６】
インプラント撤去用ツールにおいて、
第１のアームと、
少なくとも使用中は前記第１のアームから離隔されかつ前記第１のアームに対し実質的に平行であるように構成された第２のアームと、
前記第１のアームの遠位端部に配置された第１の開口部と、
前記第２のアームの遠位端部に配置された第２の開口部と、
を含み、
前記第１の開口部が、位置付けされたインプラントの第１の端部を包囲するように構成され、
前記第２の開口部が、前記位置付けされたインプラントの第２の端部を包囲するように構成され、
前記アームが接近させられるにつれて前記第１のアームと第２のアームの間の距離を維持するように、係止用装置が構成されている、インプラント撤去用ツール。
【請求項２７】
前記第１及び第２のアームを連結するための連結用構造をさらに含む、請求項２６に記載のインプラント撤去用ツール。
【請求項２８】
前記係止用装置が、ラチェット機構を含む、請求項２６に記載のインプラント撤去用ツール。
【請求項２９】
前記係止用装置が、摩擦係止機構を含む、請求項２６に記載のインプラント撤去用ツール。
【請求項３０】
前記第１の開口部及び第２の開口部は、ステンレス鋼ワイヤから形成される、請求項２６に記載のインプラント撤去用ツール。
【請求項３１】
前記第１の開口部及び第２の開口部は、全体的に丸形、卵形又は方形の形状である、請求項３０に記載のインプラント撤去用ツール。
【請求項３２】
前記第１の開口部は、ステンレス鋼ワイヤの第１の端部に形成されており、前記第２の開口部は、前記ステンレス鋼ワイヤの第２の端部に形成されている、請求項２６に記載のインプラント撤去用ツール。
【請求項３３】
前記ワイヤは、前記第１のアーム及び前記第２のアームを含む、又は、前記第１のアーム及び前記第２のアームに取付けられている、請求項３２に記載のインプラント撤去用ツール。
【請求項３４】
前記連結用構造が、バネ又はコイルを含む、請求項２７に記載のインプラント撤去用ツール。
【請求項３５】
さらに取っ手を含み、前記取っ手が、
前記第１のアームに取付けられた第１の握りと、
前記第２のアームに取付けられた第２の握りと、
前記第１のアームと前記第２のアームの間で前記ステンレス鋼ワイヤに沿って位置するコネクタ部品と、
を含む、請求項２６に記載のインプラント撤去用ツール。
【請求項３６】
前記第１及び第２のアーム、前記第１及び第２の端部、並びに、前記連結用構造は、１つ以上の一定長のワイヤから製造される、請求項２６に記載のインプラント撤去用ツール。
【請求項３７】
前記第１及び第２のアーム、前記第１及び第２の端部、並びに、前記連結用構造は、単一の一定長のワイヤから製造される、請求項３６に記載のインプラント撤去用ツール。
【請求項３８】
インプラントを撤去するための方法において、請求項２６に記載の撤去用ツールを提供するステップを含む、方法。
【請求項３９】
インプラントの第１の端部に前記第１のアームを配置するステップであって、前記インプラントが、患者の皮膚の外部表面下にある、ステップ、
前記インプラントの前記第１の端部及び近接する皮膚を第１の開口部の内部に包囲するステップ、
前記インプラントの第２の端部を位置設定するステップ、
前記インプラントの前記第２の端部及び近接する皮膚を前記第２の開口部内に包囲するステップ、
前記第１のアーム及び前記第２のアームを共に第１の位置に向かって押し合わせる又は他の形で強制するステップであって、前記第１のアーム及び前記第２のアームが前記第１の位置に来た時点で、前記インプラントは、前記インプラントの前記第１及び／又は第２の端部を含む前記皮膚の中にテント状の部分を創出する、ステップ、
前記インプラントの前記第１又は第２の端部において、前記皮膚の中の前記テント状の部分の近くで前記患者の前記皮膚内に切開部を創出するステップ、及び
前記第１のアーム及び前記第２のアームを共に第２の位置に向かって押し合わせるステップであって、第１のアーム及び第２のアームが前記第２の位置に来た時点で、前記インプラントの前記第２の端部は、前記切開部を通って前記患者の前記皮膚から退出する、ステップ、
のうちの少なくとも１つをさらに含む、請求項３８に記載の方法。
【請求項４０】
前記インプラントの前記第１及び第２の端部は、前記第１及び第２の開口部の範囲内に位置設定される、請求項３９に記載の方法。
【請求項４１】
前記第１の位置は、前記第２の位置に比べて前記第１及び第２のアームが幅広である構成である、請求項３９又は４０に記載の方法。
【請求項４２】
前記係止用装置は、前記切開部が創出される間、前記第１のアーム及び前記第２のアームを前記第１の位置に保持する、請求項３９又は４０に記載の方法。
【請求項４３】
前記第２の位置に到達するための前記第１のアーム及び前記第２のアームの前記押し合わせは、前記第１の位置で始まり、前記第２の位置で終る、請求項４２に記載の方法。
【請求項４４】
前記係止用装置は、前記第１のアーム及び前記第２のアームを前記第１及び第２の位置に保持する、請求項４３に記載の方法。
【国際調査報告】
2018525047.tif 000039
2018525047.tif 000040
2018525047.tif 000041
2018525047.tif 000042